(57)【特許請求の範囲】
【請求項１】
アンライセンスキャリアを用いて、第２の通信機器に第１のデータフレームを送信するステップと、
ライセンスキャリアを用いて、前記第２の通信機器にＭ個の第２のデータフレームを送信するステップであって、前記Ｍ個の第２のデータフレームのうち少なくとも１つのデータフレームは第１の情報を搬送し、前記第１の情報は、前記第２の通信機器が前記第１のデータフレームを検出する際に必要とする情報を含み、Ｍは１よりも小さくない整数である、ステップと、
を含む伝送方法であって、
前記第１のデータフレームが送信されるとき、又は前記第１のデータフレームが送信された後、前記Ｍ個の第２のデータフレームが前記ライセンスキャリアを用いて前記第２の通信機器に送信され、前記第１の情報は、前記第１のデータフレームの第１の時間オフセットと、前記第１のデータフレームのフレーム構造を示すのに用いられる情報と、前記第１のデータフレームのサブフレーム構造を示すのに用いられる情報と、前記第２の通信機器が前記アンライセンスキャリア上で前記第１のデータフレームを検出するようにトリガするのに用いられる第２の情報とのうち少なくとも１つを含む、
方法。
【請求項２】
前記第１のデータフレームのサブフレーム構造は以下のとおりであり、すなわち、
前記第１のデータフレームのサブフレームの周期は１４個のシンボルを含み、７個のシンボルはデータの伝送に用いられ、７個のシンボルはアイドル状態であり、又は、
前記第１のデータフレームのサブフレームの周期は１４個のシンボルを含み、１０個のシンボルはデータの伝送に用いられ、４個のシンボルはアイドル状態であり、又は、
前記第１のデータフレームのサブフレームの周期は１４個のシンボルを含み、１２個のシンボルはデータの伝送に用いられ、２個のシンボルはアイドル状態であり、又は、
前記第１のデータフレームのサブフレームの周期は１４個のシンボルを含み、１４個のシンボルはデータの伝送に用いられ、又は、
前記第１のデータフレームのサブフレームの周期は１４個のシンボルを含み、１個のシンボルは同期信号の伝送に用いられ、又は、
前記第１のデータフレームのサブフレームの周期は１４個のシンボルを含み、２個のシンボルは同期信号の伝送に用いられ、又は、
前記第１のデータフレームのサブフレームの周期は１２個のシンボルを含み、６個のシンボルはデータの伝送に用いられ、６個のシンボルはアイドル状態であり、又は、
前記第１のデータフレームのサブフレームの周期は１２個のシンボルを含み、８個のシンボルはデータの伝送に用いられ、４個のシンボルはアイドル状態であり、又は、
前記第１のデータフレームのサブフレームの周期は１２個のシンボルを含み、１０個のシンボルはデータの伝送に用いられ、２個のシンボルはアイドル状態であり、又は、
前記第１のデータフレームのサブフレームの周期は１２個のシンボルを含み、１２個のシンボルはデータの伝送に用いられ、又は、
前記第１のデータフレームのサブフレームの周期は１２個のシンボルを含み、１個のシンボルは同期信号の伝送に用いられ、又は、
前記第１のデータフレームのサブフレームの周期は１２個のシンボルを含み、２個のシンボルは同期信号の伝送に用いられる、
請求項１に記載の方法。
【請求項３】
第１の通信機器によりライセンスキャリアを用いて送信されたＭ個の第２のデータフレームを受信するステップであって、前記Ｍ個の第２のデータフレームのうち少なくとも１つのデータフレームは第１の情報を搬送し、前記第１の情報は、前記第１の通信機器によりアンライセンスキャリアを用いて送信された第１のデータフレームを検出する際に必要となる情報を含み、Ｍは１よりも小さくない整数である、ステップと、
前記第１の情報が取得されるとき又は取得された後、前記第１の情報に従って、前記第１のデータフレームの検出を開始するステップと、
を含む伝送方法であって、
前記Ｍ個の第２のデータフレームは、前記第１のデータフレームが送信されるとき、又は前記第１のデータフレームが送信された後、前記ライセンスキャリアを用いて第２の通信機器に送信され、前記第１の情報は、前記第１のデータフレームの第１の時間オフセットと、前記第１のデータフレームのフレーム構造を示すのに用いられる情報と、前記第１のデータフレームのサブフレーム構造を示すのに用いられる情報と、前記第２の通信機器が前記アンライセンスキャリア上で前記第１のデータフレームを検出するようにトリガするのに用いられる第２の情報とのうち少なくとも１つを含む、
伝送方法。
【請求項４】
前記第１のデータフレームのサブフレーム構造は以下のとおりであり、すなわち、
前記第１のデータフレームのサブフレームの周期は１４個のシンボルを含み、７個のシンボルはデータの伝送に用いられ、７個のシンボルはアイドル状態であり、又は、
前記第１のデータフレームのサブフレームの周期は１４個のシンボルを含み、１０個のシンボルはデータの伝送に用いられ、４個のシンボルはアイドル状態であり、又は、
前記第１のデータフレームのサブフレームの周期は１４個のシンボルを含み、１２個のシンボルはデータの伝送に用いられ、２個のシンボルはアイドル状態であり、又は、
前記第１のデータフレームのサブフレームの周期は１４個のシンボルを含み、１４個のシンボルはデータの伝送に用いられ、又は、
前記第１のデータフレームのサブフレームの周期は１４個のシンボルを含み、１個のシンボルは同期信号の伝送に用いられ、又は、
前記第１のデータフレームのサブフレームの周期は１４個のシンボルを含み、２個のシンボルは同期信号の伝送に用いられ、又は、
前記第１のデータフレームのサブフレームの周期は１２個のシンボルを含み、６個のシンボルはデータの伝送に用いられ、６個のシンボルはアイドル状態であり、又は、
前記第１のデータフレームのサブフレームの周期は１２個のシンボルを含み、８個のシンボルはデータの伝送に用いられ、４個のシンボルはアイドル状態であり、又は、
前記第１のデータフレームのサブフレームの周期は１２個のシンボルを含み、１０個のシンボルはデータの伝送に用いられ、２個のシンボルはアイドル状態であり、又は、
前記第１のデータフレームのサブフレームの周期は１２個のシンボルを含み、１２個のシンボルはデータの伝送に用いられ、又は、
前記第１のデータフレームのサブフレームの周期は１２個のシンボルを含み、１個のシンボルは同期信号の伝送に用いられ、又は、
前記第１のデータフレームのサブフレームの周期は１２個のシンボルを含み、２個のシンボルは同期信号の伝送に用いられる、
請求項３に記載の伝送方法。
【請求項５】
アンライセンスキャリアを用いて、第２の通信機器に第１のデータフレームを送信するように構成される第１の送信モジュールと、
ライセンスキャリアを用いて、前記第２の通信機器にＭ個の第２のデータフレームを送信するように構成される第２の送信モジュールであって、前記Ｍ個の第２のデータフレームのうち少なくとも１つのデータフレームは第１の情報を搬送し、前記第１の情報は、前記第２の通信機器が前記第１のデータフレームを検出する際に必要とする情報を含み、Ｍは１よりも小さくない整数である、第２の送信モジュールと、
を備える第１の通信機器であって、
前記第１の送信モジュールが前記第１のデータフレームを送信したか否かを決定するように構成される第１の決定モジュール、
を更に備え、
前記第１の送信モジュールが前記第１のデータフレームを送信している、又は前記第１の送信モジュールが前記第１のデータフレームを送信したと前記第１の決定モジュールが決定した場合、前記第２の送信モジュールによって送信された前記第１の情報は、前記第１のデータフレームの第１の時間オフセットと、前記第１のデータフレームのフレーム構造を示すのに用いられる情報と、前記第１のデータフレームのサブフレーム構造を示すのに用いられる情報と、前記第２の通信機器が前記アンライセンスキャリア上で前記第１のデータフレームを検出するようにトリガするのに用いられる第２の情報とのうち少なくとも１つを含む、
第１の通信機器。
【請求項６】
前記第１の送信モジュールによって送信された前記第１のデータフレームのサブフレーム構造は以下のとおりであり、すなわち、
前記第１のデータフレームのサブフレームの周期は１４個のシンボルを含み、７個のシンボルはデータの伝送に用いられ、７個のシンボルはアイドル状態であり、又は、
前記第１のデータフレームのサブフレームの周期は１４個のシンボルを含み、１０個のシンボルはデータの伝送に用いられ、４個のシンボルはアイドル状態であり、又は、
前記第１のデータフレームのサブフレームの周期は１４個のシンボルを含み、１２個のシンボルはデータの伝送に用いられ、２個のシンボルはアイドル状態であり、又は、
前記第１のデータフレームのサブフレームの周期は１４個のシンボルを含み、１４個のシンボルはデータの伝送に用いられ、又は、
前記第１のデータフレームのサブフレームの周期は１４個のシンボルを含み、１個のシンボルは同期信号の伝送に用いられ、又は、
前記第１のデータフレームのサブフレームの周期は１４個のシンボルを含み、２個のシンボルは同期信号の伝送に用いられ、又は、
前記第１のデータフレームのサブフレームの周期は１２個のシンボルを含み、６個のシンボルはデータの伝送に用いられ、６個のシンボルはアイドル状態であり、又は、
前記第１のデータフレームのサブフレームの周期は１２個のシンボルを含み、８個のシンボルはデータの伝送に用いられ、４個のシンボルはアイドル状態であり、又は、
前記第１のデータフレームのサブフレームの周期は１２個のシンボルを含み、１０個のシンボルはデータの伝送に用いられ、２個のシンボルはアイドル状態であり、又は、
前記第１のデータフレームのサブフレームの周期は１２個のシンボルを含み、１２個のシンボルはデータの伝送に用いられ、又は、
前記第１のデータフレームのサブフレームの周期は１２個のシンボルを含み、１個のシンボルは同期信号の伝送に用いられ、又は、
前記第１のデータフレームのサブフレームの周期は１２個のシンボルを含み、２個のシンボルは同期信号の伝送に用いられる、
請求項５に記載の第１の通信機器。
【請求項７】
第１の通信機器によりライセンスキャリアを用いて送信されたＭ個の第２のデータフレームを受信するように構成される受信モジュールであって、前記Ｍ個の第２のデータフレームのうち少なくとも１つのデータフレームは第１の情報を搬送し、前記第１の情報は、前記第１の通信機器によりアンライセンスキャリアを用いて送信された第１のデータフレームを検出する際に必要となる情報を含み、Ｍは１よりも小さくない整数である、受信モジュールと、
前記第１の情報が取得されるとき又は取得された後、前記受信モジュールによって受信された前記第１の情報に従って、前記第１のデータフレームの検出を開始するように構成される検出モジュールと、
を備える第２の通信機器であって、
前記受信モジュールによって受信された前記Ｍ個の第２のデータフレームは、前記第１のデータフレームが送信されるとき、又は前記第１のデータフレームが送信された後、前記ライセンスキャリアを用いて前記第１の通信機器によって送信され、前記第１の情報は、前記第１のデータフレームの第１の時間オフセットと、前記第１のデータフレームのフレーム構造を示すのに用いられる情報と、前記第１のデータフレームのサブフレーム構造を示すのに用いられる情報と、前記第２の通信機器が前記アンライセンスキャリア上で前記第１のデータフレームを検出するようにトリガするのに用いられる第２の情報とのうち少なくとも１つを含む、
第２の通信機器。
【請求項８】
前記検出モジュールによって検出された前記第１のデータフレームのサブフレーム構造は以下のとおりであり、すなわち、
前記第１のデータフレームのサブフレームの周期は１４個のシンボルを含み、７個のシンボルはデータの伝送に用いられ、７個のシンボルはアイドル状態であり、又は、
前記第１のデータフレームのサブフレームの周期は１４個のシンボルを含み、１０個のシンボルはデータの伝送に用いられ、４個のシンボルはアイドル状態であり、又は、
前記第１のデータフレームのサブフレームの周期は１４個のシンボルを含み、１２個のシンボルはデータの伝送に用いられ、２個のシンボルはアイドル状態であり、又は、
前記第１のデータフレームのサブフレームの周期は１４個のシンボルを含み、１４個のシンボルはデータの伝送に用いられ、又は、
前記第１のデータフレームのサブフレームの周期は１４個のシンボルを含み、１個のシンボルは同期信号の伝送に用いられ、又は、
前記第１のデータフレームのサブフレームの周期は１４個のシンボルを含み、２個のシンボルは同期信号の伝送に用いられ、又は、
前記第１のデータフレームのサブフレームの周期は１２個のシンボルを含み、６個のシンボルはデータの伝送に用いられ、６個のシンボルはアイドル状態であり、又は、
前記第１のデータフレームのサブフレームの周期は１２個のシンボルを含み、８個のシンボルはデータの伝送に用いられ、４個のシンボルはアイドル状態であり、又は、
前記第１のデータフレームのサブフレームの周期は１２個のシンボルを含み、１０個のシンボルはデータの伝送に用いられ、２個のシンボルはアイドル状態であり、又は、
前記第１のデータフレームのサブフレームの周期は１２個のシンボルを含み、１２個のシンボルはデータの伝送に用いられ、又は、
前記第１のデータフレームのサブフレームの周期は１２個のシンボルを含み、１個のシンボルは同期信号の伝送に用いられ、又は、
前記第１のデータフレームのサブフレームの周期は１２個のシンボルを含み、２個のシンボルは同期信号の伝送に用いられる
請求項７に記載の第２の通信機器。
【発明の詳細な説明】
【技術分野】
【０００１】
本発明の実施形態は通信分野に関し、特に、伝送方法及び通信機器に関する。
【背景技術】
【０００２】
無線通信システムで利用されるスペクトルは、ライセンススペクトル（Licensed  Spectrum）とアンライセンススペクトル（Unlicensed  Spectrum）に分類される。ライセンススペクトルでは、一般に、ライセンスが取得された後、対応するライセンスキャリアを用いて関連する通信サービスを提供することができ、リソース競合の問題は存在しない。例えば、ロングタームエボリューション（Long  Term  Evolution、略称ＬＴＥ）システムでは、送信端において、データフレームの初期送信時間が決定されると、各後続データフレームが順に送信される。したがって、受信端において、同期信号を用いてデータフレームの初期送信時間が取得されると、各後続データフレームの受信時間が決定され、受信端は各フレームの受信時間を調整する必要がない。アンライセンススペクトルでは、誰もが、通信サービスを実行するために対応するアンライセンスキャリアを使用する権限がある。しかしながら、アンライセンスキャリアを用いるデータ伝送では、データ伝送は、時間ベースの競合によって時間リソースが得られた場合にのみ開始され、伝送時間の後には、別の機器がチャネルを占有する機会を有するように、伝送を停止しチャネルを解放しなければならない。
【０００３】
したがって、アンライセンスキャリアではリソース競合問題が存在し、送信端は常にチャネルを占有してデータを送信することができない。したがって、データが送信される時点は、競合によってリソースの取得が成功する時点によって変化するので、ライセンスキャリアの本来の受信メカニズムはアンライセンスキャリアの利用には不適切である。現在、アンライセンスキャリアを利用する通信システムでは、受信端は、常にアンライセンスキャリアのチャネルを検出する必要がある。この解決策の最大の問題は大量の電力消費であり、受信端の待機時間に影響を与えてしまう。
【発明の概要】
【０００４】
本発明の実施形態は、通信機器のエネルギー消費を低減することができる伝送方法及び通信機器を提供する。
【０００５】
第１の態様によれば、伝送方法が提供される。本方法は、アンライセンスキャリアを用いて、第２の通信機器に第１のデータフレームを送信するステップと、ライセンスキャリアを用いて、第２の通信機器にＭ個の第２のデータフレームを送信するステップであって、Ｍ個の第２のデータフレームのうち少なくとも１つのデータフレームは第１の情報を搬送し、第１の情報は、第２の通信機器が第１のデータフレームを検出する際に必要とする情報を含み、Ｍは１よりも小さくない整数である、ステップと、を含む。
【０００６】
第１の態様に関して、第１の態様の第１の可能な実施方式では、第１のデータフレームが送信される前、ライセンスキャリアを用いてＭ個の第２のデータフレームが第２の通信機器に送信されるとき、第１の情報は、第１のデータフレームのフレーム構造を示すのに用いられる情報、又は第１のデータフレームのサブフレーム構造を示すのに用いられる情報を含む。
【０００７】
第１の態様に関して、第１の態様の第２の可能な実施方式では、第１のデータフレームが送信されるとき、又は第１のデータフレームが送信された後、ライセンスキャリアを用いてM個の第２のデータフレームが第２の通信機器に送信されるとき、第１の情報は、第１のデータフレームの第１の時間オフセットと、第１のデータフレームのフレーム構造を示すのに用いられる情報と、第１のデータフレームのサブフレーム構造を示すのに用いられる情報と、第２の通信機器がアンライセンスキャリア上で第１のデータフレームを検出するようにトリガするのに用いられる第２の情報とのうち少なくとも１つを含む。
【０００８】
第１の態様の第２の可能な実施方式に関して、第１の態様の第３の可能な実施方式では、第１の情報は、第１のデータフレームの第１の時間オフセットを含む。第１の時間オフセットは、第１のデータフレームの開始時点とＭ個の第２のデータフレームのうち１つのデータフレームの開始時点との時間差を表し、又は、第１の時間オフセットは、第１のデータフレームのサブフレームの開始時点とＭ個の第２のデータフレームのうち１つのデータフレームのサブフレームの開始時点との時間差を表す。
【０００９】
第１の態様の第３の可能な実施方式に関して、第１の態様の第４の可能な実施方式では、第１の時間オフセットは、絶対時間差、収集点の数及びシンボルの数のうち少なくとも１つのタイプの情報を含む。
【００１０】
第１の態様の第２〜第４の可能な実施方式のうちいずれかの可能な実施方式に関して、第１の態様の第５の可能な実施方式では、ライセンスキャリアを用いて、第２の通信機器にＭ個の第２のデータフレームを送信するステップは、
第１のデータフレームの第１の時間オフセットが第３のデータフレームの第３の時間オフセットと比較して変化した、又は第１のデータフレームのフレーム構造が第３のデータフレームのフレーム構造と比較して変化した、又は第１のデータフレームのサブフレーム構造が第３のデータフレームのサブフレーム構造と比較して変化したと決定された場合、ライセンスキャリアを用いて、第２の通信機器にＭ個の第２のデータフレームを送信するステップ、
を含み、
第３のデータフレームは、アンライセンスキャリアを用いて送信されるデータフレームであり、第３のデータフレームは、第１のデータフレームの前のデータフレームである、第３の時間オフセットは、第３のデータフレームの開始時点と第４のデータフレームの開始時点との時間差を表し、又は第３の時間オフセットは、第３のデータフレームのサブフレームの開始時点と第４のデータフレームのサブフレームの開始時点との時間差を表し、第４のデータフレームは、ライセンスキャリアを用いて送信されるデータフレームであり、第４のデータフレームは、Ｍ個の第２のデータフレームの前のデータフレームである。
【００１１】
第１の態様の第５の可能な実施方式に関して、第１の態様の第６の可能な実施方式では、第３の時間オフセットは、絶対時間差、収集点の数及びシンボルの数のうち少なくとも１つのタイプの情報を含む。
【００１２】
第１の態様及び第１の態様の第１〜第６の可能な実施方式のうちいずれかの可能な実施方式に関して、第１の態様の第７の可能な実施方式では、第１のデータフレームのサブフレーム構造は以下のとおりである。すなわち、
第１のデータフレームのサブフレームの周期は１４個のシンボルを含み、７個のシンボルはデータの伝送に用いられ、７個のシンボルはアイドル状態であり、又は、
第１のデータフレームのサブフレームの周期は１４個のシンボルを含み、１０個のシンボルはデータの伝送に用いられ、４個のシンボルはアイドル状態であり、又は、
第１のデータフレームのサブフレームの周期は１４個のシンボルを含み、１２個のシンボルはデータの伝送に用いられ、２個のシンボルはアイドル状態であり、又は、
第１のデータフレームのサブフレームの周期は１４個のシンボルを含み、１４個のシンボルはデータの伝送に用いられ、又は、
第１のデータフレームのサブフレームの周期は１４個のシンボルを含み、１個のシンボルは同期信号の伝送に用いられ、又は、
第１のデータフレームのサブフレームの周期は１４個のシンボルを含み、２個のシンボルは同期信号の伝送に用いられ、又は、
第１のデータフレームのサブフレームの周期は１２個のシンボルを含み、６個のシンボルはデータの伝送に用いられ、６個のシンボルはアイドル状態であり、又は、
第１のデータフレームのサブフレームの周期は１２個のシンボルを含み、８個のシンボルはデータの伝送に用いられ、４個のシンボルはアイドル状態であり、又は、
第１のデータフレームのサブフレームの周期は１２個のシンボルを含み、１０個のシンボルはデータの伝送に用いられ、２個のシンボルはアイドル状態であり、又は、
第１のデータフレームのサブフレームの周期は１２個のシンボルを含み、１２個のシンボルはデータの伝送に用いられ、又は、
第１のデータフレームのサブフレームの周期は１２個のシンボルを含み、１個のシンボルは同期信号の伝送に用いられ、又は、
第１のデータフレームのサブフレームの周期は１２個のシンボルを含み、２個のシンボルは同期信号の伝送に用いられる。
【００１３】
第１の態様及び第１の態様の第１〜第６の可能な実施方式のうちいずれかの可能な実施方式に関して、第１の態様の第８の可能な実施方式では、第１のデータフレームのフレーム構造は以下のとおりである。すなわち、
第１のデータフレームのフレーム周期はチャネル占用周期及びチャネルアイドル周期を含み、チャネルアイドル周期はチャネル占用周期の少なくとも５％である。
【００１４】
第１の態様の第８の可能な実施方式に関して、第１の態様の第９の可能な実施方式では、第１のデータフレームのフレーム構造は、具体的には以下のとおりである。すなわち、
第１のデータフレームのフレーム周期は１４０個のシンボルを含み、チャネル占用周期が１３３個のシンボルを含み、チャネルアイドル周期が７個のシンボルを含み、又は、
第１のデータフレームのフレーム周期は７０個のシンボルを含み、チャネル占用周期が６６個のシンボルを含み、チャネルアイドル周期が４個のシンボルを含み、又は、
第１のデータフレームのフレーム周期は２８個のシンボルを含み、チャネル占用周期が２６個のシンボルを含み、チャネルアイドル周期が２個のシンボルを含み、又は、
第１のデータフレームのフレーム周期は１２０個のシンボルを含み、チャネル占用周期が１１４個のシンボルを含み、チャネルアイドル周期が６個のシンボルを含み、又は、
第１のデータフレームのフレーム周期は６０個のシンボルを含み、チャネル占用周期が５６個のシンボルを含み、チャネルアイドル周期が４個のシンボルを含み、又は、
第１のデータフレームのフレーム周期は２４個のシンボルを含み、チャネル占用周期が２２個のシンボルを含み、チャネルアイドル周期が２個のシンボルを含み、。
【００１５】
第２の態様によれば、伝送方法が提供される。本方法は、第１の通信機器によりライセンスキャリアを用いて送信されたＭ個の第２のデータフレームを受信するステップであって、Ｍ個の第２のデータフレームのうち少なくとも１つのデータフレームは第１の情報を搬送し、第１の情報は、第１の通信機器によりアンライセンスキャリアを用いて送信された第１のデータフレームを検出する際に必要となる情報を含み、Ｍは１よりも小さくない整数である、ステップと、第１の情報が取得されるとき又は取得された後、第１の情報に従って、第１のデータフレームの検出を開始するステップと、を含む。
【００１６】
第２の態様に関して、第２の態様の第１の可能な実施方式では、第１の情報は、第１のデータフレームのフレーム構造を示すのに用いられる情報、又は第１のデータフレームのサブフレーム構造を示すのに用いられる情報を含む。
【００１７】
第２の態様に関して、第２の態様の第２の可能な実施方式では、第１の情報は、第１のデータフレームの第１の時間オフセットと、第１のデータフレームのフレーム構造を示すのに用いられる情報と、第１のデータフレームのサブフレーム構造を示すのに用いられる情報と、アンライセンスキャリア上での第１のデータフレームの検出をトリガするのに用いられる第２の情報とのうち少なくとも１つを含む。
【００１８】
第２の態様の第２の可能な実施方式に関して、第２の態様の第３の可能な実施方式では、第１の情報は、第１のデータフレームの第１の時間オフセットを含む。第１の時間オフセットは、第１のデータフレームの開始時点とＭ個の第２のデータフレームのうち１つのデータフレームの開始時点との時間差を表し、又は、
第１の時間オフセットは、第１のデータフレームのサブフレームの開始時点とＭ個の第２のデータフレームのうち１つのデータフレームのサブフレームの開始時点との時間差を表す。
【００１９】
第２の態様の第３の可能な実施方式に関して、第２の態様の第４の可能な実施方式では、第１の時間オフセットは、絶対時間差、収集点の数及びシンボルの数のうち少なくとも１つのタイプの情報を含む。
【００２０】
第２の態様の第２の可能な実施方式に関して、第２の態様の第５の可能な実施方式では、第１の情報は第２の情報を含み、
第１の情報が取得されるとき又は取得された後、第１の情報に従って、第１のデータフレームの検出を開始するステップは、
第２の情報が取得されるとき又は取得された後、第２の情報に従って同期信号の検出を開始し、第１のデータフレームの開始時点を決定するステップと、
第１のデータフレームの開始時点に従って、第１のデータフレームを検出するステップと、
を含む。
【００２１】
第２の態様及び第２の態様の第１〜第５の可能な実施方式のうちいずれかの可能な実施方式に関して、第２の態様の第６の可能な実施方式では、第１のデータフレームのフレーム構造は以下のとおりである。すなわち、
第１のデータフレームのフレーム周期はチャネル占用周期及びチャネルアイドル周期を含み、チャネルアイドル周期はチャネル占用周期の少なくとも５％である。
【００２２】
第２の態様の第６の可能な実施方式に関して、第２の態様の第７の可能な実施方式では、第１のデータフレームのフレーム構造は、具体的には以下のとおりである。すなわち、
第１のデータフレームのフレーム周期は１４０個のシンボルを含み、チャネル占用周期が１３３個のシンボルを含み、チャネルアイドル周期が７個のシンボルを含み、又は、
第１のデータフレームのフレーム周期は７０個のシンボルを含み、チャネル占用周期が６６個のシンボルを含み、チャネルアイドル周期が４個のシンボルを含み、又は、
第１のデータフレームのフレーム周期は２８個のシンボルを含み、チャネル占用周期が２６個のシンボルを含み、チャネルアイドル周期が２個のシンボルを含み、又は、
第１のデータフレームのフレーム周期は１２０個のシンボルを含み、チャネル占用周期が１１４個のシンボルを含み、チャネルアイドル周期が６個のシンボルを含み、又は、
第１のデータフレームのフレーム周期は６０個のシンボルを含み、チャネル占用周期が５６個のシンボルを含み、チャネルアイドル周期が４個のシンボルを含み、又は、
第１のデータフレームのフレーム周期は２４個のシンボルを含み、チャネル占用周期が２２個のシンボルを含み、チャネルアイドル周期が２個のシンボルを含む。
【００２３】
第２の態様及び第２の態様の第１〜第５の可能な実施方式のうちいずれかの可能な実施方式に関して、第２の態様の第８の可能な実施方式では、第１のデータフレームのサブフレーム構造は、以下のとおりである。すなわち、
第１のデータフレームのサブフレームの周期は１４個のシンボルを含み、７個のシンボルはデータの伝送に用いられ、７個のシンボルはアイドル状態であり、又は、
第１のデータフレームのサブフレームの周期は１４個のシンボルを含み、１０個のシンボルはデータの伝送に用いられ、４個のシンボルはアイドル状態であり、又は、
第１のデータフレームのサブフレームの周期は１４個のシンボルを含み、１２個のシンボルはデータの伝送に用いられ、２個のシンボルはアイドル状態であり、又は、
第１のデータフレームのサブフレームの周期は１４個のシンボルを含み、１４個のシンボルはデータの伝送に用いられ、又は、
第１のデータフレームのサブフレームの周期は１４個のシンボルを含み、１個のシンボルは同期信号の伝送に用いられ、又は、
第１のデータフレームのサブフレームの周期は１４個のシンボルを含み、２個のシンボルは同期信号の伝送に用いられ、又は、
第１のデータフレームのサブフレームの周期は１２個のシンボルを含み、６個のシンボルはデータの伝送に用いられ、６個のシンボルはアイドル状態であり、又は、
第１のデータフレームのサブフレームの周期は１２個のシンボルを含み、８個のシンボルはデータの伝送に用いられ、４個のシンボルはアイドル状態であり、又は、
第１のデータフレームのサブフレームの周期は１２個のシンボルを含み、１０個のシンボルはデータの伝送に用いられ、２個のシンボルはアイドル状態であり、又は、
第１のデータフレームのサブフレームの周期は１２個のシンボルを含み、１２個のシンボルはデータの伝送に用いられ、又は、
第１のデータフレームのサブフレームの周期は１２個のシンボルを含み、１個のシンボルは同期信号の伝送に用いられ、又は、
第１のデータフレームのサブフレームの周期は１２個のシンボルを含み、２個のシンボルは同期信号の伝送に用いられる。
【００２４】
第３の態様によれば、通信機器が提供される。本通信機器は、アンライセンスキャリアを用いて、第２の通信機器に第１のデータフレームを送信するように構成される第１の送信モジュールと、ライセンスキャリアを用いて、第２の通信機器にＭ個の第２のデータフレームを送信するように構成される第２の送信モジュールであって、Ｍ個の第２のデータフレームのうち少なくとも１つのデータフレームは第１の情報を搬送し、第１の情報は、第２の通信機器が第１のデータフレームを検出する際に必要とする情報を含み、Ｍは１よりも小さくない整数である、第２の送信モジュールと、を備える。
【００２５】
第３の態様に関して、第３の態様の第１の可能な実施方式では、本通信機器は更に、
第１の送信モジュールが第１のデータフレームを送信したか否かを決定するように構成される第１の決定モジュール、
を備え、
第１の送信モジュールが第１のデータフレームを送信していないと第１の決定モジュールが決定した場合、第２の送信モジュールによって送信された第１の情報は、第１のデータフレームのフレーム構造を示すのに用いられる情報、又は第１のデータフレームのサブフレーム構造を示すのに用いられる情報を含む。
【００２６】
第３の態様に関して、第３の態様の第２の可能な実施方式では、本通信機器は更に、
第１の送信モジュールが第１のデータフレームを送信したか否かを決定するように構成される第１の決定モジュール、
第１の送信モジュールが第１のデータフレームを送信している、又は第１の送信モジュールが第１のデータフレームを送信したと第１の決定モジュールが決定した場合、第２の送信モジュールによって送信された第１の情報は、第１のデータフレームの第１の時間オフセットと、第１のデータフレームのフレーム構造を示すのに用いられる情報と、第１のデータフレームのサブフレーム構造を示すのに用いられる情報と、第２の通信機器がアンライセンスキャリア上で第１のデータフレームを検出するようにトリガするのに用いられる第２の情報とのうち少なくとも１つを含む。
【００２７】
第３の態様の第２の可能な実施方式に関して、第３の態様の第３の可能な実施方式では、第１の情報は、第１のデータフレームの第１の時間オフセットを含む。第１の時間オフセットは、第１のデータフレームの開始時点とＭ個の第２のデータフレームのうち１つのデータフレームの開始時点との時間差を表し、又は、
第１の時間オフセットは、第１のデータフレームのサブフレームの開始時点とＭ個の第２のデータフレームのうち１つのデータフレームのサブフレームの開始時点との時間差を表す。
【００２８】
第３の態様の第３の可能な実施方式に関して、第３の態様の第４の可能な実施方式では、第１の時間オフセットは、絶対時間差、収集点の数及びシンボルの数のうち少なくとも１つのタイプの情報を含む。
【００２９】
第３の態様及び第３の態様の第１〜第４の可能な実施方式のうちいずれかの可能な実施方式に関して、第３の態様の第５の可能な実施方式では、本通信機器は更に、
第１のデータフレームの第１の時間オフセットが第３のデータフレームの第３の時間オフセットと比較して変化したか否か、又は第１のデータフレームのフレーム構造が第３のデータフレームのフレーム構造と比較して変化したか否か、又は第１のデータフレームのサブフレーム構造が第３のデータフレームのサブフレーム構造と比較して変化したか否かを決定するように構成される第２の決定モジュールと、
第１のデータフレームの第１の時間オフセットが第３のデータフレームの第３の時間オフセットと比較して変化した、又は第１のデータフレームのフレーム構造が第３のデータフレームのフレーム構造と比較して変化した、又は第１のデータフレームのサブフレーム構造が第３のデータフレームのサブフレーム構造と比較して変化したと、第２の決定モジュールが決定した場合、Ｍ個の第２のデータフレームを送信するように第２の送信モジュールをトリガするように構成されるトリガモジュールと、
を備える。第３のデータフレームは、アンライセンスキャリアを用いて送信されるデータフレームであり、第３のデータフレームは、第１のデータフレームの前のデータフレームである、第３の時間オフセットは、第３のデータフレームの開始時点と第４のデータフレームの開始時点との時間差を表し、又は第３の時間オフセットは、第３のデータフレームのサブフレームの開始時点と第４のデータフレームのサブフレームの開始時点との時間差を表し、第４のデータフレームは、ライセンスキャリアを用いて送信されるデータフレームであり、第４のデータフレームは、Ｍ個の第２のデータフレームの前のデータフレームである。
【００３０】
第３の態様の第５の可能な実施方式に関して、第３の態様の第６の可能な実施方式では、第３の時間オフセットは、絶対時間差、収集点の数及びシンボルの数のうち少なくとも１つのタイプの情報を含む。
【００３１】
第３の態様及び第３の態様の第１〜第６の可能な実施方式のうちいずれかの可能な実施方式に関して、第３の態様の第７の可能な実施方式では、第１の送信モジュールによって送信された第１のデータフレームのサブフレーム構造は、以下のとおりである。すなわち、
第１のデータフレームのサブフレームの周期は１４個のシンボルを含み、７個のシンボルはデータの伝送に用いられ、７個のシンボルはアイドル状態であり、又は、
第１のデータフレームのサブフレームの周期は１４個のシンボルを含み、１０個のシンボルはデータの伝送に用いられ、４個のシンボルはアイドル状態であり、又は、
第１のデータフレームのサブフレームの周期は１４個のシンボルを含み、１２個のシンボルはデータの伝送に用いられ、２個のシンボルはアイドル状態であり、又は、
第１のデータフレームのサブフレームの周期は１４個のシンボルを含み、１４個のシンボルはデータの伝送に用いられ、又は、
第１のデータフレームのサブフレームの周期は１４個のシンボルを含み、１個のシンボルは同期信号の伝送に用いられ、又は、
第１のデータフレームのサブフレームの周期は１４個のシンボルを含み、２個のシンボルは同期信号の伝送に用いられ、又は、
第１のデータフレームのサブフレームの周期は１２個のシンボルを含み、６個のシンボルはデータの伝送に用いられ、６個のシンボルはアイドル状態であり、又は、
第１のデータフレームのサブフレームの周期は１２個のシンボルを含み、８個のシンボルはデータの伝送に用いられ、４個のシンボルはアイドル状態であり、又は、
第１のデータフレームのサブフレームの周期は１２個のシンボルを含み、１０個のシンボルはデータの伝送に用いられ、２個のシンボルはアイドル状態であり、又は、
第１のデータフレームのサブフレームの周期は１２個のシンボルを含み、１２個のシンボルはデータの伝送に用いられ、又は、
第１のデータフレームのサブフレームの周期は１２個のシンボルを含み、１個のシンボルは同期信号の伝送に用いられ、又は、
第１のデータフレームのサブフレームの周期は１２個のシンボルを含み、２個のシンボルは同期信号の伝送に用いられる。
【００３２】
第３の態様及び第３の態様の第１〜第６の可能な実施方式のうちいずれかの可能な実施方式に関して、第３の態様の第８の可能な実施方式では、第１の送信モジュールによって送信された第１のデータフレームのフレーム構造は、以下のとおりである。すなわち、第１のデータフレームのフレーム周期はチャネル占用周期及びチャネルアイドル周期を含み、チャネルアイドル周期はチャネル占用周期の少なくとも５％である。
【００３３】
第３の態様の第８の可能な実施方式に関して、第３の態様の第９の可能な実施方式では、第１の送信モジュールによって送信された第１のデータフレームのフレーム構造は、具体的には以下のとおりである。すなわち、
第１のデータフレームのフレーム周期は１４０個のシンボルを含み、チャネル占用周期が１３３個のシンボルを含み、チャネルアイドル周期が７個のシンボルを含み、又は、
第１のデータフレームのフレーム周期は７０個のシンボルを含み、チャネル占用周期が６６個のシンボルを含み、チャネルアイドル周期が４個のシンボルを含み、又は、
第１のデータフレームのフレーム周期は２８個のシンボルを含み、チャネル占用周期が２６個のシンボルを含み、チャネルアイドル周期が２個のシンボルを含み、又は、
第１のデータフレームのフレーム周期は１２０個のシンボルを含み、チャネル占用周期が１１４個のシンボルを含み、チャネルアイドル周期が６個のシンボルを含み、又は、
第１のデータフレームのフレーム周期は６０個のシンボルを含み、チャネル占用周期が５６個のシンボルを含み、チャネルアイドル周期が４個のシンボルを含み、又は、
第１のデータフレームのフレーム周期は２４個のシンボルを含み、チャネル占用周期が２２個のシンボルを含み、チャネルアイドル周期が２個のシンボルを含む。
【００３４】
第４の態様によれば、通信機器が提供される。本通信機器は、第１の通信機器によりライセンスキャリアを用いて送信されたＭ個の第２のデータフレームを受信するように構成される受信モジュールであって、Ｍ個の第２のデータフレームのうち少なくとも１つのデータフレームは第１の情報を搬送し、第１の情報は、第１の通信機器によりアンライセンスキャリアを用いて送信された第１のデータフレームを検出する際に必要となる情報を含み、Ｍは１よりも小さくない整数である、受信モジュールと、第１の情報が取得されるとき又は取得された後、受信モジュールによって受信された第１の情報に従って、第１のデータフレームの検出を開始するように構成される検出モジュールと、を備える。
【００３５】
第４の態様に関して、第４の態様の第１の可能な実施方式では、受信モジュールによって受信された第１の情報は、第１のデータフレームのフレーム構造を示すのに用いられる情報、又は第１のデータフレームのサブフレーム構造を示すのに用いられる情報を含む。
【００３６】
第４の態様に関して、第４の態様の第２の可能な実施方式では、受信モジュールによって受信された第１の情報は、第１のデータフレームの第１の時間オフセットと、第１のデータフレームのフレーム構造を示すのに用いられる情報と、第１のデータフレームのサブフレーム構造を示すのに用いられる情報と、アンライセンスキャリア上での第１のデータフレームの検出をトリガするのに用いられる第２の情報とのうち少なくとも１つを含む。
【００３７】
第４の態様の第２の可能な実施方式に関して、第４の態様の第３の可能な実施方式では、受信モジュールによって受信された第１の情報は、第１のデータフレームの第１の時間オフセットを含む。第１の時間オフセットは、第１のデータフレームの開始時点とＭ個の第２のデータフレームのうち１つのデータフレームの開始時点との時間差を表し、又は、
第１の時間オフセットは、第１のデータフレームのサブフレームの開始時点とＭ個の第２のデータフレームのうち１つのデータフレームのサブフレームの開始時点との時間差を表す。
【００３８】
第４の態様の第３の可能な実施方式に関して、第４の態様の第４の可能な実施方式では、第１の時間オフセットは、絶対時間差、収集点の数及びシンボルの数のうち少なくとも１つのタイプの情報を含む。
【００３９】
第４の態様の第２の可能な実施方式に関して、第４の態様の第５の可能な実施方式では、受信モジュールによって受信された第１の情報は、第２の情報を含み、
検出モジュールは、
第２の情報が取得されるとき又は取得された後、第２の情報に従って同期信号の検出を開始し、第１のデータフレームの開始時点を決定するように構成される第１の検出ユニットと、
第１の検出ユニットによって決定された第１のデータフレームの開始時点に従って、第１のデータフレームを検出するように構成される第２の検出ユニットと、
を有する。
【００４０】
第４の態様及び第４の態様の第１〜第５の可能な実施方式のうちいずれかの可能な実施方式に関して、第４の態様の第６の可能な実施方式では、検出モジュールによって検出された第１のデータフレームのフレーム構造は、以下のとおりである。すなわち、
第１のデータフレームのフレーム周期はチャネル占用周期及びチャネルアイドル周期を含み、チャネルアイドル周期はチャネル占用周期の少なくとも５％である。
【００４１】
第４の態様の第６の可能な実施方式に関して、第４の態様の第７の可能な実施方式では、検出モジュールによって検出された第１のデータフレームのフレーム構造は、具体的には以下のとおりである。すなわち、
第１のデータフレームのフレーム周期は１４０個のシンボルを含み、チャネル占用周期が１３３個のシンボルを含み、チャネルアイドル周期が７個のシンボルを含み、又は、
第１のデータフレームのフレーム周期は７０個のシンボルを含み、チャネル占用周期が６６個のシンボルを含み、チャネルアイドル周期が４個のシンボルを含み、又は、
第１のデータフレームのフレーム周期は２８個のシンボルを含み、チャネル占用周期が２６個のシンボルを含み、チャネルアイドル周期が２個のシンボルを含み、又は、
第１のデータフレームのフレーム周期は１２０個のシンボルを含み、チャネル占用周期が１１４個のシンボルを含み、チャネルアイドル周期が６個のシンボルを含み、又は、
第１のデータフレームのフレーム周期は６０個のシンボルを含み、チャネル占用周期が５６個のシンボルを含み、チャネルアイドル周期が４個のシンボルを含み、又は、
第１のデータフレームのフレーム周期は２４個のシンボルを含み、チャネル占用周期が２２個のシンボルを含み、チャネルアイドル周期が２個のシンボルを含む。
【００４２】
第４の態様及び第４の態様の第１〜第５の可能な実施方式のうちいずれかの可能な実施方式に関して、第４の態様の第７の可能な実施方式では、検出モジュールによって検出された第１のデータフレームのサブフレーム構造は、以下のとおりである。すなわち、
第１のデータフレームのサブフレームの周期は１４個のシンボルを含み、７個のシンボルはデータの伝送に用いられ、７個のシンボルはアイドル状態であり、又は、
第１のデータフレームのサブフレームの周期は１４個のシンボルを含み、１０個のシンボルはデータの伝送に用いられ、４個のシンボルはアイドル状態であり、又は、
第１のデータフレームのサブフレームの周期は１４個のシンボルを含み、１２個のシンボルはデータの伝送に用いられ、２個のシンボルはアイドル状態であり、又は、
第１のデータフレームのサブフレームの周期は１４個のシンボルを含み、１４個のシンボルはデータの伝送に用いられ、又は、
第１のデータフレームのサブフレームの周期は１４個のシンボルを含み、１個のシンボルは同期信号の伝送に用いられ、又は、
第１のデータフレームのサブフレームの周期は１４個のシンボルを含み、２個のシンボルは同期信号の伝送に用いられ、又は、
第１のデータフレームのサブフレームの周期は１２個のシンボルを含み、６個のシンボルはデータの伝送に用いられ、６個のシンボルはアイドル状態であり、又は、
第１のデータフレームのサブフレームの周期は１２個のシンボルを含み、８個のシンボルはデータの伝送に用いられ、４個のシンボルはアイドル状態であり、又は、
第１のデータフレームのサブフレームの周期は１２個のシンボルを含み、１０個のシンボルはデータの伝送に用いられ、２個のシンボルはアイドル状態であり、又は、
第１のデータフレームのサブフレームの周期は１２個のシンボルを含み、１２個のシンボルはデータの伝送に用いられ、又は、
第１のデータフレームのサブフレームの周期は１２個のシンボルを含み、１個のシンボルは同期信号の伝送に用いられ、又は、
第１のデータフレームのサブフレームの周期は１２個のシンボルを含み、２個のシンボルは同期信号の伝送に用いられる。
【００４３】
前述の技術的解決策に基づき、本発明の実施形態における伝送方法及び通信機器によれば、通信機器のエネルギー消費を低減することができる。
【図面の簡単な説明】
【００４４】
本発明の実施形態における技術的解決策をより明確に説明するために、以下、実施形態を説明するために必要な添付図面を簡潔に紹介する。明らかながら、添付図面は以下の説明において、本発明の一部の実施形態を示すものに過ぎない。当業者であれば、これらの添付図面から創意工夫なく他の図面を更に導出できるであろう。
【図１】本発明の実施形態に係る伝送方法の概略フローチャートである。
【図２（ａ）】本発明の実施形態に係る伝送方法の概略図である。
【図２（ｂ）】本発明の実施形態に係る伝送方法の概略図である。
【図２（ｃ）】本発明の実施形態に係る伝送方法の概略図である。
【図３（ａ）】本発明の実施形態に係る第１の時間オフセットの概略図である。
【図３（ｂ）】本発明の実施形態に係る第１の時間オフセットの概略図である。
【図４】本発明の実施形態に係る第１のデータフレームの概略ブロック図である。
【図５（ａ）】本発明の実施形態に係る第１のデータフレームの別の概略ブロック図である。
【図５（ｂ）】本発明の実施形態に係る第１のデータフレームの別の概略ブロック図である。
【図５（ｃ）】本発明の実施形態に係る第１のデータフレームの別の概略ブロック図である。
【図６（ａ）】本発明の実施形態に係る第１のデータフレームの更に別の概略ブロック図である。
【図６（ｂ）】本発明の実施形態に係る第１のデータフレームの更に別の概略ブロック図である。
【図７】本発明の実施形態に係る伝送方法の別の概略フローチャートである。
【図８】通信機器本発明の実施形態に係る概略ブロック図である。
【図９】別の通信機器本発明の実施形態に係る概略ブロック図である。
【図１０】本発明の別の実施形態に係る通信機器の概略ブロック図である。
【図１１】本発明の別の実施形態に係る別の通信機器の概略ブロック図である。
【発明を実施するための形態】
【００４５】
以下、本発明の実施形態において添付図面を参照しながら、本発明の実施形態における技術的解決策を明確且つ完全に説明する。明らかながら、説明した実施形態は本発明の実施形態の一部に過ぎず、全部ではない。当業者が本発明の実施形態に基づいて創意工夫なく得た他の実施形態は、全て本発明の保護範囲に包含されるものとする。
【００４６】
理解されるべきこととして、本発明の実施形態の技術的解決策は、モバイル通信のためのグローバルシステム（Global  System  of  Mobile  Communications、略称ＧＳＭ）システム、コード分割多重アクセス（Code  Division  Multiple  Access、略称ＣＤＭＡ）システム、広帯域符号分割多元接続（Wideband  Code  Division  Multiple  Access、略称ＷＣＤＭＡ）システム、汎用パケット無線サービス（General  Packet  Radio  Service、略称ＧＰＲＳ）、ＬＴＥシステム、ロングタームエボリューションアドバンス（Long  Term  Evolution  Advanced、略称ＬＴＥ−Ａ）システム、ユニバーサルモバイルテレコミュニケーションシステム（Universal  Mobile  Telecommunication  System、略称ＵＭＴＳ）等の様々な通信システムに適用されてよい。
【００４７】
同様に理解されるべきこととして、本発明の実施形態では、ユーザ装置（User  Equipment、略称ＵＥ）は、端末（Terminal）、移動局（Mobile  Station、略称ＭＳ）、移動端末（Mobile  Terminal）等と呼ばれる場合がある。ユーザ装置は、無線アクセスネットワーク（Radio  Access  Network、略称ＲＡＮ）を用いて１以上のコアネットワークと通信することができる。例えば、ユーザ装置は、携帯電話（或いは「セルラ」電話と呼ばれる）、通信機能を有するコンピュータ、携帯機器（Portable  Equipment）等であってよい。例えば、ユーザ装置は、携帯型、ポケットサイズ、ハンドヘルド型、コンピュータ内蔵型、或いは車載型のモバイル装置であってもよい。ユーザ装置は、ＲＡＮと音声及び／又はデータを交換する。
【００４８】
本発明の実施形態では、基地局は、ＧＳＭ又はＣＤＭＡにおける基地トランシーバ局（Base  Transceiver  Station、略称ＢＴＳ）であってよく、ＷＣＤＭＡのノードＢ（NodeB）であってもよく、更に、ＬＴＥの進化型ノードＢ（evolved  NodeB、略称ｅＮＢ又はｅ−ＮｏｄｅＢ）であってもよく、更に、無線送信機能を有する他のネットワーク要素デバイスであってもよく、本発明の実施形態において限定されるものではない。
【００４９】
図１は、本発明の実施形態に係る伝送方法１００の概略フローチャートを提供する。方法１００は、例えば第１の通信機器によって実行されてよく、第１の通信機器は、ユーザ装置であっても基地局であってもよく、或いは１つのチップ又は複数のチップであってもよい。図１に示されるように、方法１００は以下を含む。
【００５０】
Ｓ１１０．アンライセンスキャリアを用いて、第２の通信機器に第１のデータフレームを送信する。
【００５１】
Ｓ１２０．ライセンスキャリアを用いて、第２の通信機器にＭ個の第２のデータフレームを送信する。Ｍ個の第２のデータフレームのうち少なくとも１つのデータフレームは第１の情報を搬送し、第１の情報は、第２の通信機器が第１のデータフレームを検出する際に必要とする情報を含み、Ｍは１よりも小さくない整数である。
【００５２】
したがって、本発明の本実施形態における伝送方法によれば、通信機器のエネルギー消費を低減することができる。
【００５３】
Ｓ１１０では、第１のデータフレームは、アンライセンスキャリアを用いて第２の通信機器に送信される。理解されるべきこととして、アンライセンスキャリアを用いてデータを送信するために、リソース競合手段が利用される。第１の通信機器は、アンライセンスキャリア上で競合によって利用可能なリソースが取得されたと決定した場合、アンライセンスキャリアを用いて信号を送信する。
【００５４】
任意に、一実施形態では、図１に示される方法１００において、アンライセンスキャリアを用いて第２の通信機器に第１のデータフレームを送信するステップは、
アンライセンスキャリアが占用されているか否かを決定するステップと、
アンライセンスキャリアが占用されていると決定した場合、アンライセンスキャリアを用いて第２の通信機器に第１のデータフレームを送信するステップと、
を含む。
【００５５】
Ｓ１２０では、Ｍ個の第２のデータフレームは、ライセンスキャリアを用いて第２の通信機器に送信される。Ｍ個の第２のデータフレームのうち少なくとも１つのデータフレームが第１の情報を搬送し、第１の情報は、第２の通信機器が第１のデータフレームを検出する際に必要とする情報を含む。理解されるべきこととして、ライセンスキャリアを用いてデータフレームが送信されるとき、リソース競合問題は存在せず、ライセンスキャリアを常に占用してデータフレームを伝送することができる。例えば、ＬＴＥシステムでは、データフレームの初期時間が決定されると、各後続データフレームが順に送信される。本発明の本実施形態では、Ｍ個の第２のデータフレームは、ライセンスキャリアを用いて順に送信される連続するＭ個のデータフレームであってよい。Ｍ個の第２のデータフレームのうち少なくとも１つのデータフレームが第１の情報を搬送することは、Ｍ個の第２のデータフレームのうち１つのデータフレーム又は複数のデータフレームが第１の情報を搬送することを意味する。例えば、Ｍ個の第２のデータフレームのうち１つのデータフレーム（データフレームＢとする）が第１の情報を搬送する。具体的には、データフレームＢの各サブフレームが更に第１の情報を搬送してよく、本発明の本実施形態では限定されない。
【００５６】
同様に理解されるべきこととして、本発明の本実施形態では、第１のデータフレーム及びＭ個の第２のデータフレームを送信する時間の順序について、厳格な限定はない。Ｍ個の第２のデータフレームは、第１のデータフレームが送信される前にライセンスキャリアを用いて送信されてよく、或いは、Ｍ個の第２のデータフレームは、アンライセンスキャリアを用いて第１のデータフレームが送信されるときに、ライセンスキャリアを用いて送信されてよい。すなわち、第１のデータフレームのフレームヘッダに対応する時点において、Ｍ個の第２のデータフレームが送信される。或いは、Ｍ個の第２のデータフレームは、第１のデータフレームがアンライセンスキャリアを用いて送信された後に、ライセンスキャリアを用いて送信されてよく、本発明の本実施形態では限定されない。以下、図２を参照しながら、前述のいくつかのケースを詳述する。
【００５７】
Ｓ１２０では、ライセンスキャリアを用いて送信されるＭ個の第２のデータフレームのうち少なくとも１つのデータフレームが、第１の情報を搬送する。第１の情報は、第２の通信機器が第１のデータフレームを検出する際に必要とする情報を含む。具体的には、例えば、第１の情報は、第１のデータフレームの開始時点やフレーム構造、サブフレーム構造等を示してよく、受信端の第２の通信機器が第１の情報に従って第１のデータフレームを検出できれば、本発明の本実施形態ではそれについて特に限定しない。以下、前述のケースを詳細に説明する。同様に理解されるべきこととして、Ｍ個の第２のデータフレームのうち任意の１以上のデータフレームが第１の情報を搬送してよい。任意に、Ｍ個の第２のデータフレームのうちのデータフレームの任意の１以上のサブフレームが第１の情報を搬送してよく、本発明の本実施形態では限定されない。
【００５８】
理解を容易にするために、図２は、本発明の本実施形態において、アンライセンスキャリアを用いて第１の通信機器により第１のデータフレームを送信することと、ライセンスキャリアを用いてＭ個の第２のデータフレームを送信することとの間の、時系列関係のいくつかのケースを示す。説明を容易にするために、図２では、Ｍの値が１であると仮定する。すなわち、第１の通信機器は、ライセンスキャリアを用いて第２データフレームを送信し、第２データフレームは第１の情報を搬送する。
【００５９】
具体的には、図２（ａ）はケース１を示す。すなわち、Ｍ個の第２のデータフレームは、第１のデータフレームがアンライセンスキャリアを用いて送信される前に、ライセンスキャリアを用いて送信される。
【００６０】
図２（ａ）に示されるように、送信時点t1において、第２のデータフレームがライセンスキャリアf2上で送信され、送信時点t2において、第１のデータフレームがアンライセンスキャリアf1上で送信される。t1は送信時点の点でt2より早い。すなわち、第１のデータフレームが送信される前、第２のデータフレームが第２の通信機器に対して最初に送信され、第２のデータフレームは第１の情報を搬送し（図に注釈されている）、第１の情報は、第２の通信機器が第１のデータフレームを検出する際に必要とする情報を含む。具体的には、第１の情報は、第１のデータフレームのフレーム構造を示すのに用いられる情報、又は第１のデータフレームのサブフレーム構造を示すのに用いられる情報を含んでよい。
【００６１】
理解されるべきこととして、図２（ａ）に示される技術的解決策は、以下のシナリオに適用されてよい。例えば、時点t1において、第１の通信機器は、競合によりアンライセンスキャリア上のリソースを取得していないので、第１のデータフレームを送信することができない。しかしながら、送信端として、第１の通信機器は、第１のデータフレームのフレーム構造及び／又はサブフレーム構造を予め学習する。したがって、第１の通信機器は、競合によりアンライセンスキャリア上のリソースを取得する前に、第１のデータフレームのフレーム構造又はサブフレーム構造を第２の通信機器に最初に通知してよい。それにより、第２の通信機器はその後、第１のデータフレームのフレーム構造又はサブフレーム構造に従って、アンライセンスキャリア上で第１のデータフレームを検出することができる。具体的には、例えば、第２の通信機器は、同期信号を検出することにより第１データフレームの開始時点を決定し、第１データフレームの開始時点とフレーム構造（又はサブフレーム構造）に従って、f1上で第１データフレームを検出してよい。第２の通信機器は、第１のデータフレームのフレーム構造（又はサブフレーム構造）を取得する。したがって、第１のデータフレームの検出に要する時間を短縮することができ、第２の通信機器のエネルギー消費を低減することができる。任意に、第１の情報を取得するとき、第２の通信機器は、f1上での同期信号の検出を開始してよい。これにより、第１のデータフレームの開始時点を取得するためにf1上で同期信号が継続して検出されるという問題を回避することができ、第２の通信機器のエネルギー消費を更に低減することができる。
【００６２】
任意に、一実施形態では、図１に示される方法１００において、第１のデータフレームが送信される前、ライセンスキャリアを用いてＭ個の第２のデータフレームが第２の通信機器に送信されるとき、第１の情報は、第１のデータフレームのフレーム構造を示すのに用いられる情報、又は第１のデータフレームのサブフレーム構造を示すのに用いられる情報を含む。
【００６３】
第１のデータフレームのフレーム構造を示すのに用いられる情報は、第１のデータフレームのフレーム構造を示すことのできる任意の情報を含む。第１のデータフレームのサブフレーム構造を示すのに用いられる情報は、第１のデータフレームのサブフレーム構造を示すことのできる任意の情報を含む。これらは本発明の本実施形態では限定されない。
【００６４】
図２（ｂ）はケース２を示し、すなわち、アンライセンスキャリアを用いて第１のデータフレームが送信されるとき、Ｍ個の第２のデータフレームがライセンスキャリアを用いて送信される。すなわち、第２のデータフレームは、第１のデータフレームのフレームヘッダに対応する送信時点t1において、ライセンスキャリアf2上で送信される。
【００６５】
図２（ｃ）はケース３を示し、すなわち、第１のデータフレームがアンライセンスキャリアを用いて送信された後、Ｍ個の第２のデータフレームがライセンスキャリアを用いて送信される。
【００６６】
理解されるべきこととして、図２（ｃ）に示されるケース３は更に、以下のような極端なケースであってもよい。すなわち、第１のデータフレーム全体がアンライセンスキャリアを用いて送信された後にのみ、Ｍ個の第２のデータフレームがライセンスキャリアを用いて送信される。本発明の本実施形態では限定されない。
【００６７】
図２（ｂ）及び図２（ｃ）に示されるケースは、以下のシナリオに適用されてよい。すなわち、第１の通信機器は、競合によりアンライセンスキャリア上でリソースが取得されたと決定し、アンライセンスキャリアを用いて第２の通信機器に第１のデータフレームを送信し、それから（同時を含む）、第１の通信機器はライセンスキャリアを用いて第１の情報を送信する。このケースでは、第１の通信機器は、第１のデータフレームの開始送信時点、フレーム構造、サブフレーム構造その他の情報を学習するので、第１の情報は、第１のデータフレームの第１の時間オフセット、第１のデータフレームのフレーム構造を示すのに用いられる情報、第１のデータフレームのサブフレーム構造を示すのに用いられる情報、又は第２の通信機器がアンライセンスキャリア上で第１のデータフレームを検出するようにトリガするのに用いられる第２の情報の任意の１以上のタイプの情報を含んでよい。
【００６８】
任意に、一実施形態では、図１に示される方法１００のＳ１２０において、第１のデータフレームが送信されるとき、又は第１のデータフレームが送信された後、ライセンスキャリアを用いてＭ個の第２のデータフレームが第２の通信機器に送信されるとき、第１の情報は、第１のデータフレームの第１の時間オフセットと、第１のデータフレームのフレーム構造を示すのに用いられる情報と、第１のデータフレームのサブフレーム構造を示すのに用いられる情報と、第２の通信機器がアンライセンスキャリア上で第１のデータフレームを検出するようにトリガするのに用いられる第２の情報とのうち少なくとも１つを含む。
【００６９】
第１のデータフレームの第１の時間オフセットは、第１のデータフレームの開始時点を示すのに用いられる。具体的には、図２（ｃ）では、第１の時間オフセットは時間差（t2−t1）であってよい。以下、図３を参照しながら、第１の時間オフセットを詳述する。第２の情報は、第２の通信機器をアンライセンスキャリア上の第１のデータフレームを検出するようにトリガするのに用いられる。すなわち、第２の情報の受信後、第２の通信機器はアンライセンスキャリア上で第１のデータフレームを検出してよい。第１のデータフレームのフレーム構造を示すのに用いられる情報は、第１のデータフレームのフレーム構造を示すのに用いられる。第１のデータフレームのサブフレーム構造を示すのに用いられる情報は、第１のデータフレームのサブフレーム構造を示すのに用いられる。以下、図３〜図６参照しながら、第１のデータフレームのフレーム構造及び第１のデータフレームのサブフレーム構造を詳述する。
【００７０】
任意に、一実施形態では、図１に示される伝送方法１００において、第１の情報は、第１のデータフレームの第１の時間オフセットを含む。第１の時間オフセットは、第１のデータフレームの開始時点とＭ個の第２のデータフレームのうち１つのデータフレームの開始時点との時間差を表し、又は、
第１の時間オフセットは、第１のデータフレームのサブフレームの開始時点とＭ個の第２のデータフレームのうち１つのデータフレームのサブフレームの開始時点との時間差を表す。
【００７１】
具体的には、図３に示されるように、図３（ａ）は、データフレームＡがアンライセンスキャリアf1上で送信された後、データフレームＢがライセンスキャリアf2上で送信されることを示す。すなわち、図３（ａ）の第１の時間オフセットは、データフレームＡの開始時点とデータフレームＢの開始時点との時間差である。例えば、第１の通信機器によって第２の通信機器に送信される第１の情報は、第１の時間オフセットを含む。したがって、受信端の第２の通信機器は、第１の時間オフセットとデータフレームＢの開始時点とに従って、データフレームＡの開始時点を取得することができる。よって、データフレームＡの開始時点に従って、アンライセンスキャリア上でデータフレームＡを検出することができる。
【００７２】
代替として、第１の時間オフセットは、第１のデータフレームのサブフレームの開始時点とＭ個の第２のデータフレームのうち１つのデータフレームのサブフレームの開始時点との時間差であってよい。
【００７３】
具体的には、図３（ａ）に更に示されるように、データフレームＡがアンライセンスキャリアf1を用いて送信された後、データフレームＢがライセンスキャリアf2を用いて送信される。データフレームＡはサブフレームn’，n’+1，n’+2，n’+3及びn’+4を含み、データフレームＢは、サブフレームn，n+1，n+2，n+3及びn+4を含む。すなわち、第１の時間オフセットは、サブフレームn’とサブフレームnの開始時点の時間差と、サブフレームn’+1とサブフレームn+1の開始時点の時間差と、サブフレームn’+2とサブフレームn+2の開始時点の時間差と、サブフレームn’+3とサブフレームn+3の開始時点の時間差と、サブフレームn’+4とサブフレームn+4の開始時点の時間差とを示すのに用いられてよい。具体的には、図３（ｂ）はサブフレームn’及びサブフレームnの拡大図を示す。分かるように、サブフレームn’とサブフレームnの開始時点の間にはいくつかのシンボルの違いがある。図３（ｂ）の第１の時間オフセットは、サブフレームn’とサブフレームnの開始時点間の時間差を示すのに用いられる。具体的には、例えば、第１の通信機器により第２の通信機器に送信される第１の情報は、第１の時間オフセットを含む。したがって、受信端の第２の通信機器は、第１の時間オフセットとサブフレームnの開始時点とに従って、サブフレームn’の開始時点を取得することができる。同様に、同じ方法に従ってサブフレームn’+1，n’+2，n’+3及びn’+4の開始時点を取得することができ、よって、アンライセンスキャリア上でサブフレームn’+1，n’+2，n’+3及びn’+4を順次検出することができる。よって、データフレームＡ全体を検出することができる。
【００７４】
理解されるべきこととして、任意に、本発明の本実施形態では、第１のデータフレームは図３のデータフレームＡに対応してよく、Ｍ個の第２のデータフレームのうち任意のデータフレームは図３のデータフレームＢに対応してよい。
【００７５】
同様に理解されるべきこととして、本発明の本実施形態では、第１の情報は必ずしも、第１の時間オフセットを規定する参照データフレーム又は参照サブフレームで搬送される必要はない。具体的には、例えば図３（ａ）において、第１の時間オフセットは、データフレームＢの開始時点とデータフレームＡの開始時点との時間差を表す。しかしながら、第１の時間オフセットを含む第１の情報は、必ずしもデータフレームＢで搬送されるとは限らない。任意に、第１の情報は、データフレームＢで搬送されてもよいし、データフレームＢに隣接又は非隣接のいずれか１つ以上のデータフレームで搬送されてもよい。更に例えば、図３（ｂ）では、第１の時間オフセットは、データフレームＢのサブフレームnの開始時点とデータフレームＡのサブフレームn’の開始時点との時間差を表す。しかしながら、第１の時間オフセットを含む第１の情報は、必ずしもサブフレームnで搬送されるとは限らない。任意に、第１の情報は、データフレームＢの任意のサブフレームで搬送されてもよいし、データフレームＢに隣接又は非隣接のいずれか１つ以上のデータフレームで搬送されてもよく、本発明の本実施形態では限定されない。
【００７６】
同様に理解されるべきこととして、本発明の本実施形態では、第１のデータフレームの第１の時間オフセットは絶対時間であってもよいし、収集点の数であってもよいし、更にシンボルの数であってもよい。
【００７７】
任意に、一実施形態では、図１に示される伝送方法１００において、第１の時間オフセットは、絶対時間差、収集点の数及びシンボルの数のうち少なくとも１つのタイプの情報を含む。
【００７８】
具体的には、例えば、図３（ａ）の第１の時間オフセットは、データフレームＡの開始時点とデータフレームＢの開始時点との絶対時間差であってもよく、データフレームＡの開始時点とデータフレームＢの開始時点との時間差の収集点の数であってもよく、データフレームＡの開始時点とデータフレームＢの開始時点との時間差のシンボルの数であってもよい。更に例えば、図３（ｂ）の第１の時間オフセットは、サブフレームnとサブフレームn’の開始時点間の絶対時間差であってもよく、サブフレームnとサブフレームn’の開始時点間の時間差の収集点の数であってもよく、サブフレームnとサブフレームn’の開始時点間の時間差のシンボルの数であってもよい。
【００７９】
具体的には、本発明の本実施形態では、シンボルは時間単位であってよい。例えば、１つのシンボルが（１／１２）ｍｓを表してよい。１つのデータフレームが５個のサブフレームを含み、且つ各サブフレームが１２個のシンボルを含むとき、データフレームの各サブフレームは１ｍｓであり、データフレームのフレーム周期は５ｍｓである。
【００８０】
理解されるべきこととして、図３のデータフレームＡは、本発明の本実施形態における第１のデータフレームに対応してよく、データフレームＢは、本発明の本実施形態におけるＭ個の第２のデータフレームのうち任意のデータフレームに対応してよい。
【００８１】
同様に理解されるべきこととして、本発明の本実施形態では、第１のデータフレームの第１の時間オフセット、第１のデータフレームのフレーム構造を示すのに用いられる情報、第１のデータフレームのサブフレーム構造を示すのに用いられる情報、或いは第２の通信機器がアンライセンスキャリア上で第１のデータフレームを検出するようにトリガするのに用いられる第２の情報に加えて、第１の情報は、第１の通信機器によって学習される第１のデータフレームに関する他の情報を更に含んでよく、該他の情報が、第２の通信機器によるアンライセンスキャリア上での第１のデータフレームの検出を容易にするものであれば、本発明の本実施形態では限定されない。
【００８２】
以下、図４〜図６を参照しながら、本発明の本実施形態における、アンライセンスキャリアを用いて送信される第１のデータフレームのフレーム構造及びサブフレーム構造を詳述する。
【００８３】
任意に、一実施形態では、図１に示される伝送方法１００において、第１のデータフレームのフレーム構造は、以下のとおりである。すなわち、
第１のデータフレームのフレーム周期はチャネル占用周期及びチャネルアイドル周期を含み、チャネルアイドル周期はチャネル占用周期の少なくとも５％である。
【００８４】
具体的には、図４に示されるように、第１のデータフレームのフレーム周期はチャネル占用周期及びチャネルアイドル周期を含み、チャネルアイドル周期はチャネル占用周期の少なくとも５％である。チャネル占用周期はデータの伝送に用いられ、チャネルアイドル周期はアイドル（idle）状態であり、すなわちデータの伝送には用いられない。
【００８５】
任意に、一実施形態では、図１に示される伝送方法１００において、第１のデータフレームのフレーム構造は、具体的には以下のとおりである。すなわち、
第１のデータフレームのフレーム周期は１４０個のシンボルを含み、チャネル占用周期が１３３個のシンボルを含み、チャネルアイドル周期が７個のシンボルを含み、又は、
第１のデータフレームのフレーム周期は７０個のシンボルを含み、チャネル占用周期が６６個のシンボルを含み、チャネルアイドル周期が４個のシンボルを含み、又は、
第１のデータフレームのフレーム周期は２８個のシンボルを含み、チャネル占用周期が２６個のシンボルを含み、チャネルアイドル周期が２個のシンボルを含み、又は、
第１のデータフレームのフレーム周期は１２０個のシンボルを含み、チャネル占用周期が１１４個のシンボルを含み、チャネルアイドル周期が６個のシンボルを含み、又は、
第１のデータフレームのフレーム周期は６０個のシンボルを含み、チャネル占用周期が５６個のシンボルを含み、チャネルアイドル周期が４個のシンボルを含み、又は、
第１のデータフレームのフレーム周期は２４個のシンボルを含み、チャネル占用周期が２２個のシンボルを含み、チャネルアイドル周期が２個のシンボルを含む。
【００８６】
具体的には、図５に示されるように、図５（ａ）は、フレーム周期が１４０個のシンボルであるフレーム構造のケースを示す。図５（ａ）に示されるように、第１のデータフレームは１０個のサブフレームを含み、各サブフレームは１４個のシンボルを含み、第１のデータフレームのフレーム周期は１４０個のシンボルを含む。チャネル占用周期は１３３個のシンボルを含み、チャネルアイドル周期は７個のシンボルを含む。具体的には、チャネル占用周期は、前の９個のサブフレームと１０番目のサブフレームの前の７個のシンボルとを含み、チャネルアイドル周期は、１０番目のサブフレームの後ろの７個のシンボルを含む。
【００８７】
図５（ｂ）は、フレーム周期が７０個のシンボルであるフレーム構造のケースを示す。図５（ｂ）に示されるように、第１のデータフレームは５個のサブフレームを含み、各サブフレームは１４個のシンボルを含み、第１のデータフレームのフレーム周期は７０個のシンボルを含む。チャネル占用周期は６６個のシンボルを含み、チャネルアイドル周期は４個のシンボルを含む。具体的には、チャネル占用周期は、前の４個のサブフレームと５番目のサブフレームの前の１０個のシンボルとを含み、チャネルアイドル周期は、１０番目のサブフレームの後ろの４個のシンボルを含む。
【００８８】
図５（ｃ）は、フレーム周期が２８個のシンボルであるフレーム構造のケースを示す。図５（ｃ）に示されるように、第１のデータフレームは２個のサブフレームを含み、各サブフレームは１４個のシンボルを含み、第１のデータフレームのフレーム周期は２８個のシンボルを含む。チャネル占用周期は２６個のシンボルを含み、チャネルアイドル周期は２個のシンボルを含む。具体的には、チャネル占用周期は、サブフレーム０とサブフレーム１の前の１２個のシンボルとを含み、チャネルアイドル周期は、サブフレーム１の後ろの２個のシンボルを含む。
【００８９】
図５（ａ）、（ｂ）、（ｃ）に示される第１のデータフレームのフレーム構造では、データフレームに含まれるサブフレームは全て１４個のシンボルを含む。シンボルは、具体的には、（１／１４）ｍｓを表すことができる。したがって、図５（ａ），（ｂ）及び（ｃ）に示される第１のデータフレームのフレーム構造は更に、それぞれ以下のように記述することができる。
【００９０】
図５（ａ）では、第１のデータフレームのフレーム周期は１０ｍｓ、第１のデータフレームのチャネル占用周期は９．５ｍｓ、チャネルアイドル周期は０．５ｍｓである。
【００９１】
図５（ｂ）では、第１のデータフレームのフレーム周期は５ｍｓ、第１のデータフレームのチャネル占用周期は４．７１５ｍｓ、チャネルアイドル周期は０．２８５ｍｓである。
【００９２】
図５（ｃ）では、第１のデータフレームのフレーム周期は２ｍｓ、第１のデータフレームのチャネル占用周期は１．８５７３ｍｓ、チャネルアイドル周期は０．１４２７ｍｓである。
【００９３】
理解されるべきこととして、シンボルは更に、（１／１２）ｍｓ等の任意の他の時間単位を表すことができ、シンボルは厳密に等しい必要はない。例えば、シンボルは（２２０８／３０７２０）ｍｓであり、シンボルは（２１９２／３０７２０）ｍｓであり、本発明の本実施形態では限定されない。
【００９４】
代替として、第１のデータフレームのフレーム構造は、以下のとおりであってよい。
【００９５】
第１のデータフレームのフレーム周期は１２０個のシンボルを含み、チャネル占用周期が１１４個のシンボルを含み、チャネルアイドル周期が６個のシンボルを含む。具体的には、第１のデータフレームは１０個のサブフレームを含んでよく、各サブフレームは１２個のシンボルを含む。信号占用周期は、前の９個のサブフレーム及び最後のサブフレームの前の６個のシンボルに相当する１１４個のシンボルを含み、チャネルアイドル周期が６個のシンボル、すなわち最後のサブフレームの後ろの６個のシンボルを含む。より具体的には、１つのシンボルが（１／１２）ｍｓを表すとき、第１のデータフレームのフレーム構造は更に、以下のように記述されてよい。すなわち、第１のデータフレームのフレーム周期は１０ｍｓ、第１のデータフレームのチャネル占用周期は９．５ｍｓ、チャネルアイドル周期は０．５ｍｓである。
【００９６】
代替として、第１のデータフレームのフレーム構造は、以下のとおりであってよい。
【００９７】
第１のデータフレームのフレーム周期は６０個のシンボルを含み、チャネル占用周期が５６個のシンボルを含み、チャネルアイドル周期が４個のシンボルを含む。具体的には、第１のデータフレームは５個のサブフレームを含んでよく、各サブフレームは１２個のシンボルを含む。信号占用周期は、前の４個のサブフレーム及び最後のサブフレームの前の８個のシンボルに相当する５６個のシンボルを含み、チャネルアイドル周期が４個のシンボル、すなわち最後のサブフレームの後ろの４個のシンボルを含む。より具体的には、１つのシンボルが（１／１２）ｍｓを表すとき、第１のデータフレームのフレーム構造は更に、以下のように記述されてよい。すなわち、第１のデータフレームのフレーム周期は５ｍｓ、第１のデータフレームのチャネル占用周期は４．６６７ｍｓ、チャネルアイドル周期は０．３３３ｍｓである。
【００９８】
代替として、第１のデータフレームのフレーム構造は以下のとおりであってよい。
【００９９】
第１のデータフレームのフレーム周期は２４個のシンボルを含み、チャネル占用周期が２２個のシンボルを含み、チャネルアイドル周期が２個のシンボルを含む。具体的には、第１のデータフレームは２個のサブフレームを含んでよく、各サブフレームは１２個のシンボルを含む。信号占用周期は、第１のサブフレーム及び第２のサブフレームの前の１０個のシンボルに相当する２２個のシンボルを含み、チャネルアイドル周期は、２個のシンボル、すなわち第２のサブフレームの後ろの２個のシンボルを含む。より具体的には、１つのシンボルが（１／１２）ｍｓを表すとき、第１のデータフレームのフレーム構造は更に、以下のように記述されてよい。すなわち、第１のデータフレームのフレーム周期は２ｍｓ、第１のデータフレームのチャネル占用周期は１．８３３ｍｓ、チャネルアイドル周期は０．１６７ｍｓである。
【０１００】
理解されるべきこととして、前述の説明及び図５は、第１のデータフレームのいくつかのフレーム構造を示すものに過ぎず、本発明の本実施形態では限定されない。例えば、第１のデータフレームのフレーム構造がチャネル占用周期及びチャネルアイドル周期を含み、チャネルアイドル周期がチャネル占用周期の５％よりも小さくないことを条件として、第１のデータフレームのフレーム構造は更に、例えば図４に示されるもの以外の任意の他の形態であってよい。更に、本発明の本実施形態では、（１／１４）ｍｓ又は（１／１２）ｍｓに加えて、シンボルは更に別の時間単位を表すことができ、本発明では限定されない。
【０１０１】
上記では、図４及び図５を参照しながら第１のデータフレームのフレーム構造を説明した。以下、本発明の実施形態における第１のデータフレームのサブフレーム構造を、図５及び図６を参照しながら詳述する。
【０１０２】
任意に、一実施形態では、図１に示される伝送方法１００において、第１のデータフレームのサブフレーム構造は、以下のとおりである。すなわち、
第１のデータフレームのサブフレームの周期は１４個のシンボルを含み、７個のシンボルはデータの伝送に用いられ、７個のシンボルはアイドル状態であり、又は、
第１のデータフレームのサブフレームの周期は１４個のシンボルを含み、１０個のシンボルはデータの伝送に用いられ、４個のシンボルはアイドル状態であり、又は、
第１のデータフレームのサブフレームの周期は１４個のシンボルを含み、１２個のシンボルはデータの伝送に用いられ、２個のシンボルはアイドル状態であり、又は、
第１のデータフレームのサブフレームの周期は１４個のシンボルを含み、１４個のシンボルはデータの伝送に用いられ、又は、
第１のデータフレームのサブフレームの周期は１４個のシンボルを含み、１個のシンボルは同期信号の伝送に用いられ、又は、
第１のデータフレームのサブフレームの周期は１４個のシンボルを含み、２個のシンボルは同期信号の伝送に用いられ、又は、
第１のデータフレームのサブフレームの周期は１２個のシンボルを含み、６個のシンボルはデータの伝送に用いられ、６個のシンボルはアイドル状態であり、又は、
第１のデータフレームのサブフレームの周期は１２個のシンボルを含み、８個のシンボルはデータの伝送に用いられ、４個のシンボルはアイドル状態であり、又は、
第１のデータフレームのサブフレームの周期は１２個のシンボルを含み、１０個のシンボルはデータの伝送に用いられ、２個のシンボルはアイドル状態であり、又は、
第１のデータフレームのサブフレームの周期は１２個のシンボルを含み、１２個のシンボルはデータの伝送に用いられ、又は、
第１のデータフレームのサブフレームの周期は１２個のシンボルを含み、１個のシンボルは同期信号の伝送に用いられ、又は、
第１のデータフレームのサブフレームの周期は１２個のシンボルを含み、２個のシンボルは同期信号の伝送に用いられる。
【０１０３】
具体的には、図５及び図６に示されるように、図５（ａ）のサブフレーム０〜サブフレーム８、図５（ｂ）のサブフレーム０〜サブフレーム３、図５（ｃ）のサブフレーム０のサブフレーム構造は、全て以下のとおりである。
【０１０４】
サブフレームの周期は１４個のシンボルを含み、１４個のシンボルはデータの伝送に用いられる。
【０１０５】
図５（ａ）のサブフレーム９のサブフレーム構造（拡大図を参照）は、以下のとおりである。すなわち、
サブフレームの周期は１４個のシンボルを含み、７個のシンボルはデータの伝送に用いられ、７個のシンボルはアイドル状態である。
【０１０６】
図５（ｂ）のサブフレーム４のサブフレーム構造は、以下のとおりである。すなわち、
サブフレームの周期は１４個のシンボルを含み、１０個のシンボルはデータの伝送に用いられ、４個のシンボルはアイドル状態である。
【０１０７】
図５（ｃ）、図６（ａ）及び図６（ｂ）のサブフレーム１のサブフレーム構造は、全て以下のとおりである。
【０１０８】
サブフレームの周期は１４個のシンボルを含み、１２個のシンボルはデータの伝送に用いられ、２個のシンボルはアイドル状態である。
【０１０９】
図６（ａ）のサブフレーム０のサブフレーム構造は、以下のとおりである。すなわち、
サブフレームの周期は１４個のシンボルを含み、１個のシンボルは同期信号の伝送に用いられる。
【０１１０】
図６（ｂ）のサブフレーム０のサブフレーム構造は、以下のとおりである。すなわち、
サブフレームの周期は１４個のシンボルを含み、２個のシンボルは同期信号の伝送に用いられる。
【０１１１】
理解されるべきこととして、第１のデータフレームに含まれる異なるサブフレームは、異なるサブフレーム構造を有してよい。図５及び図６は、第１のデータフレームのいくつかのサブフレーム構造を例示的に提供するものに過ぎず、本発明の本実施形態では限定されない。例えば、図５（ａ）及び図５（ｃ）に示されるデータフレームのサブフレーム０は、同期信号を含んでもよい。
【０１１２】
本発明の本実施形態では、第１のデータフレームのサブフレーム構造を示すのに用いられ第１の情報に含まれる情報は、サブフレーム構造を示すのに用いられる任意のシンボル又はインジケーションであってよい。例えば、数字の組合せ「01」は、データの送信にのみ用いられるサブフレーム構造を表すのに用いられてよく、数字の組み合わせ「11」は、アイドル状態を含むサブフレーム構造を表し、数字の組み合わせ「10」は、同期信号を含むサブフレーム構造を表す。代替として、サブフレーム構造はビットマップ方式を用いて示されてよい。例えば、同期信号を含むサブフレーム構造は0011111111111によって表されてよく、データの伝送にのみ用いられる共通のサブフレーム構造は11111111111によって表されてよく、アイドル状態を含むサブフレーム構造は11111111110000によって表されてよく、本発明の本実施形態では限定されない。
【０１１３】
理解されるべきこととして、図２〜図６に示される例は、当業者が本発明の実施形態をより良く理解するのを助けるために用いられるものであり、本発明の実施形態の範囲を限定するものではない。当業者であれば、図２〜図６で提供された例に従って、様々な変形や変更が可能であることは明らかであり、そのような変形や変更も本発明の範囲に包含される。
【０１１４】
本発明の本実施形態では、Ｓ１２０において、第１のデータフレームが送信されるとき、又は第１のデータフレームが送信された後、ライセンスキャリアを用いて、Ｍ個の第２のデータフレームが第２の通信機器に送信される。Ｍ個の第２のデータフレームのうち少なくとも１つのデータフレームで搬送される第１の情報は、第１のデータフレームの第１の時間オフセットと、第１のデータフレームのフレーム構造を示すのに用いられる情報と、第１のデータフレームのサブフレーム構造を示すのに用いられる情報と、アンライセンスキャリア上での第１のデータフレームの検出をトリガするのに用いられる第２の情報とのうち少なくとも１つのタイプの情報を含む。第１のデータフレームを示すのに用いられる第１の情報は、ライセンスキャリア上で第２の通信機器に送信され、その結果、第２の通信機器は、アンライセンスキャリア上で第１のデータフレームを検出する。第１の情報は、上記４種類の情報のいずれかを含んでもよいし、上記４種類の情報の複数種類を含んでもよく、本発明の本実施形態では限定されない。以下、いくつかの異なるケースを詳述する。
【０１１５】
ケース１では、システムが、アンライセンスキャリアを用いて送信される第１のデータフレームのフレーム構造及び／又はサブフレーム構造を予め定義している場合、すなわち、送信端（第１の通信機器）と受信端（第２の通信機器）の両方が、アンライセンスキャリアを用いて送信された第１のデータフレームのフレーム構造又はサブフレーム構造を学習した場合、このシナリオでは、第１の情報は、第１のデータフレームの第１の時間オフセットのみを含んでよく、或いは、アンライセンスキャリア上での第１のデータフレームの検出をトリガするのに用いられる第２の情報のみを含んでよい。
【０１１６】
（１）第１の情報が第１のデータフレームの第１の時間オフセットのみを含み、第１の時間オフセットが、第１のデータフレームの開始時点と、ライセンスキャリアを用いて送信されたＭ個の第２のデータフレームのうち１つのデータフレームの開始時点との時間差を表すとき、第２の通信機器は、第１の時間オフセットに従って第１のデータフレームの開始時点を決定し、開始時点に従って、アンライセンスキャリア上で第１のデータフレームを検出してよい。任意に、第１のデータフレームは、開始時点と、システムによって予め定義された第１のデータフレームのフレーム構造又はサブフレーム構造とに従って、アンライセンスキャリア上で検出されてよい。具体的には、図３を例として用いる。データフレームＡを第１のデータフレームと仮定し、データフレームＢをＭ個の第２のデータフレームのデータフレームと仮定すると、第２の通信機器は、第１の時間オフセット及びデータフレームＢの開始時点に従ってデータフレームＡの開始時点を決定し、該開始時点に従って、アンライセンスキャリア上でデータフレームＡを検出してよい。
【０１１７】
第１の時間オフセットが、第１のデータフレームのサブフレームの開始時点と、ライセンスキャリアを用いて送信されたＭ個の第２のデータフレームのうち１つのデータフレームのサブフレームの開始時点との時間差を表すとき、第２の通信機器は、第１の時間オフセットに従って第１のデータフレームの各サブフレームの開始時点を決定し、該開始時点に従ってアンライセンスキャリア上で、第１のデータフレームの各サブフレームを検出してよい。任意に、第１のデータフレームの各サブフレームは、開始時点に従って、システムによって予め定義された第１のデータフレームのサブフレーム構造を参照して、アンライセンスキャリア上で検出されてよい。具体的には、図３を更に例として用いる。データフレームＡが第１のデータフレームであり、データフレームＢがＭ個の第２のデータフレームのデータフレームであると仮定する。例えば、第１の時間オフセットは、サブフレームn’とサブフレームnの開始時点間の時間差を示すのに用いられる。そして、第２の通信機器は、第１の時間オフセットとサブフレームnの開始時点とに従って、サブフレームn’の開始時点を取得し、該開始時点に従って、アンライセンスキャリア上でサブフレームn’を検出してよい。同様に、第１の時間オフセットが、サブフレームn’+1とサブフレームn+1の開始時点間の時間差、又はサブフレームn’+2とサブフレームn+2の開始時点間の時間差、又はサブフレームn’+3とサブフレームn+3の開始時点間の時間差、又はサブフレームn’+4とサブフレームn+4の開始時点間の時間差を示すのに用いられる場合、第２の通信機器は、同じ方法に従ってサブフレームn’，n’+1，n’+2，n’+3及びn’+4の開始時点を取得して、サブフレームn’，n’+1，n’+2，n’+3及びn’+4をアンライセンスキャリア上で順次検出してよい。その結果、データフレームＡ全体を検出することができる。
【０１１８】
理解されるべきこととして、本発明の本実施形態では、第１のデータフレームの第１の時間オフセットが、第１のデータフレームのサブフレームの開始時点と、ライセンスキャリアを用いて送信されたＭ個の第２のデータフレームのうち１つのデータフレームのサブフレームの開始時点との時間差を表すとき、第１の情報は複数の第１の時間オフセットを含んでよい。すなわち、第１の情報は、第１のデータフレームの各サブフレームの第１の時間オフセットを含む。図３を更に例として用いることができる。データフレームＡが第１のデータフレームであり、データフレームＢがＭ個の第２のデータフレームのデータフレームであると仮定すると、第１の情報は、それぞれサブフレームn’，n’+1，n’+2，n’+3，n’+4の開始時点を示すのに用いられる５個の時間オフセットを含んでよい。或いは、第１の通信機器は、Ｍ個の第２のデータフレームに関する複数の第１の情報を送信してよい。各々の第１の情報は、第１のデータフレームのサブフレームの開始時点を示すのに用いられる第１の時間オフセットを含む。例えば、図３では、データフレームＡが第１のデータフレームであり、データフレームＢがＭ個の第２のデータフレームのデータフレームであると仮定すると、第１の情報は、データフレームＢのサブフレームn，n+1，n+2，n+3，n+4でそれぞれ搬送されてよく、それぞれ、サブフレームn’，n’+1，n’+2，n’+3，n’+4とサブフレームn，n+1，n+2，n+3，n+4の開始時点間の時間差を表すのに用いられる第１の時間オフセットを含む。第２の通信機器は、サブフレームnで搬送される第１の情報に含まれる第１の時間オフセットに従って、サブフレームn’の開始時点を決定し、サブフレームn+1で搬送される第１の情報に含まれる第１の時間オフセットに従ってサブフレームn’+1の開始時点を決定してよく、同様に、データフレームＡの各サブフレームの開始時点を決定してよい。結果として、開始時点に従ってアンライセンスキャリア上でデータフレームＡを検出することができる。
【０１１９】
（２）第１の情報が、アンライセンスキャリア上での第１のデータフレームの検出をトリガするのに用いられる第２の情報のみを含む。
【０１２０】
具体的には、例えば、第１のデータフレームがアンライセンスキャリアを用いて送信された後、ライセンスキャリアを用いて第２の情報が送信される。第２の通信機器は、第２の情報に従って、バッファ及び／又は現在受信しているデータフレーム内の同期信号を検出し、検出された同期信号を用いて第１のデータフレームの開始時点を取得し、開始時点に従って、バッファ内の第１のデータフレーム及び／又は現在受信されたデータフレームを検出してよい。任意に、第２の通信機器は、システムによって予め定義された第１のデータフレームのフレーム構造又はサブフレーム構造を参照して、開始時点に従って第１のデータフレームを検出してよい。すなわち、本発明の本実施形態では、第１の通信機器は、第１のデータフレームの開始時点に関する関連情報を第２の通信機器に通知せず、同期信号を検出することによって第１のデータフレームの開始時点を取得するように第２の通信機器に指示するのみである。
【０１２１】
ケース２では、第１の情報は、第１のデータフレームのフレーム構造又はサブフレーム構造を示すのに用いられる情報のみを含む。
【０１２２】
第１のデータフレームのフレーム構造を示すのに用いられる情報は、第１のデータフレームのフレーム構造を示すのに用いられる任意の情報を含む。例えば、111は図５（ａ）に示されるフレーム構造を表すのに用いられてよく、011は図５（ｂ）に示されるフレーム構造を表し、001は図５（ｃ）に示されるフレーム構造を表す。例えば、第１の情報が001を含むとき、第２の通信機器は、001に従って、第１のデータフレームのフレーム構造が図５（ｃ）に示されるフレーム構造であることを学習してよく、そして、図５（ｃ）に示されるフレーム構造に従って、バッファ及び／又は現在受信しているデータフレーム内の第１のデータフレームを検出してよい。任意に、第２の通信機器は、バッファ及び／又は現在受信しているデータフレーム内の同期信号を検出することにより、第１のデータフレームの開始時点を決定し、開始時点と図５（ｃ）に示されるフレーム構造とに従って、バッファ及び／又は現在受信しているデータフレームにおいて順に第１のデータフレームを検出してよい。理解されるべきこととして、第１のデータフレームのフレーム構造を示すのに用いられる情報の具体的な形式やフォーマットは、システムによって予め定義されてもよく、或いは送信端及び受信端によって相互に合意されてもよく、本発明の本実施形態では限定されない。
【０１２３】
第１のデータフレームのサブフレーム構造を示すのに用いられる情報は、第１のデータフレームのサブフレーム構造を示すのに用いられる任意の情報を含む。例えば、01は、データの伝送のみに用いられるサブフレーム（例えば図５（ａ）のサブフレーム０〜サブフレーム８、図５（ｂ）のサブフレーム０〜サブフレーム３、又は図５（ｃ）のサブフレーム０のサブフレーム構造）を表すのに用いられてよい。11はアイドル状態を含むサブフレームを表し、具体的には、図５（ａ）のサブフレーム９（拡大図参照）のサブフレーム構造に示される。情報10は同期信号を含むサブフレームを表し、具体的には、図５（ａ）のサブフレーム０のサブフレーム構造に示される。例えば、第１の情報が情報11を含むとき、第２の通信機器は、情報11に従って、検出すべきサブフレームのサブフレーム構造が図５（ａ）のサブフレーム９のサブフレーム構造であると決定し、そして、図５（ａ）のサブフレーム９のサブフレーム構造に従って、バッファ及び／又は現在のデータフレーム内の対応するサブフレームを検出することができる。理解されるべきこととして、第１の情報が、第１のデータフレームのサブフレーム構造を示すのに用いられる情報を含むとき、具体的な実施時には、第１の通信機器は、第１のデータフレーム内の全てのサブフレームのサブフレーム構造を第２の通信機器に通知する必要がある。具体的には、図３（ａ）を例として用いる。データフレームＡが第１のデータフレームであり、データフレームＢがＭ個の第２のデータフレームのデータフレームであり、データフレームＡのフレーム構造が図５（ｂ）に示されるものであると仮定すると、データフレームＢのサブフレームn，n+1，n+2，n+3でそれぞれ情報０１を搬送し、サブフレームn+4で情報11を搬送することができる。第２の通信機器は、前述のサブフレーム構造に従って、アンライセンスキャリア上で順にサブフレームn’，n’+1，n’+2，n’+3及びn’+4を検出することができる。
【０１２４】
理解されるべきこととして、データフレームのフレーム構造又はサブフレーム構造が異なる場合、このデータフレームの送信端によって行われる情報マッピングも異なる。したがって、このデータフレームの受信端による受信も異なる。したがって、本発明の本実施形態では、第２の通信機器は、第１のデータフレームのフレーム構造を示すのに用いられ第１の情報に含まれる情報、又は、第１の情報のサブフレーム構造を示すのに用いられ第１の情報に含まれる情報に従って、アンライセンスキャリア上で第１のデータフレームを検出することができる。
【０１２５】
ケース３では、第１の情報は、第１のデータフレームの第１の時間オフセットか第２の情報のいずれかを含み、第１のデータフレームのフレーム構造を示すのに用いられる情報、又は第１のデータフレームのサブフレーム構造を示すのに用いられる情報を含む。
【０１２６】
このケースでは、第２の通信機器は、第１のデータフレームの第１の時間オフセット又は第２の情報に従って、第１のデータフレームの開始時点を決定し、第１のデータフレームのフレーム構造を示すのに用いられる情報、又は第１のデータフレームのサブフレーム構造を示すのに用いられる情報に従って、第１のデータフレームのフレーム構造又は第１のデータフレームのサブフレーム構造を決定し、第１のデータフレームの開始時点と、第１のデータフレームのフレーム構造又は第１のデータフレームのサブフレーム構造とに従って、アンライセンスキャリア上で第１のデータフレームを検出してよい。
【０１２７】
（１）第１の情報が第２の情報と、第１のデータフレームのフレーム構造を示すのに用いられる情報とを含む場合、第２の通信機器は、第２の情報に従って同期信号を検出することにより、第１のデータフレームの開始時点を取得し、第１のデータフレームのフレーム構造を参照して、アンライセンスキャリア上で第１のデータフレームを検出する。
【０１２８】
（２）第１の情報が、第１のデータフレームの開始時点とＭ個の第２のデータフレームのうち１つのデータフレームの開始時点との時間差を示すのに用いられる第１の時間オフセットと、第１のデータフレームのフレーム構造を示すのに用いられる情報とを含む場合、第２の通信機器は、第１の時間オフセットに従って第１のデータフレームの開始送信時点を決定し、第１のデータフレームの開始送信時点及びフレーム構造情報に従って、アンライセンスキャリア上で第１のデータフレームを検出する。
【０１２９】
具体的には、図３を例として用いる。送信端（第１の通信機器）はアンライセンスキャリアf1上でデータフレームＡを送信する。データフレームＡのフレーム構造及びサブフレーム構造を図５（ｂ）に示す。データフレームＢはライセンスキャリアf2上で送信され、データフレームＢの各サブフレームは第１の情報を搬送する。第１の情報は、データフレームＡのサブフレームの開始時点とデータフレームＢのサブフレームの開始時点との時間差を示すのに用いられる第１の時間オフセットを含むだけでなく、データフレームＡのサブフレーム構造を示すのに用いられる情報も含む。具体的には、サブフレームnで搬送される第１の情報は、01（01がデータの伝送にのみ用いられるサブフレームを表すことをシステムが予め定義すると仮定する）と、サブフレームnとサブフレームn’の開始時点間の時間差を示すのに用いられる第１の時間オフセットとを含む。サブフレームn+1で搬送される第１の情報は、01と、サブフレームn+1とサブフレームn’+1の開始時点間の時間差を示すのに用いられる第１の時間オフセットとを含む。サブフレームn+2で搬送される第１の情報は、01と、サブフレームn+2とサブフレームn’+2の開始時点間の時間差を示すのに用いられる第１の時間オフセットとを含む。サブフレームn+3で搬送される第１の情報は、01と、サブフレームn+3とサブフレームn’+3の開始時点を示すのに用いられる第１の時間オフセットとを含む。サブフレームn+4で搬送される第１の情報は、11（“11”がアイドル状態を含むサブフレームを表すことをシステムが予め定義していると仮定する）と、サブフレームn+4とサブフレームn’+4の開始時点間の時間差を示すのに用いられる第１の時間オフセットとを含む。したがって、受信端（第２の通信機器）は、サブフレームn，n+1，n+2，n+3，n+4から受信した第１の情報に従って、第１のデータフレームの各サブフレームの開始時点と、各サブフレームのサブフレームフォーマットとを、それぞれ決定することができる。結果として、アンライセンスキャリア上で順に第１のデータフレームを検出することができる。
【０１３０】
アンライセンスキャリアについて、システムは競合方式でチャネルを占用し、システムはデータ伝送のためにチャネルを常に占用することができない。したがって、アンライセンスキャリア上では、データが送信される時点は、チャネルの占用が競合によって成功する時点と共に変化し、ライセンスキャリアに対する受信器の本来の挙動はもはや適用されない。アンライセンスキャリアを用いるＷｉＦｉ等の従来の通信システムでは、信号受信器は、連続してチャネルを監視し、同期信号を連続的に検出することによりフレームヘッダを取得し、その後一連の処理を行う必要がある。この方法の最大の問題は、機器の待機時間に影響を与える、機器の大きな電力消費である。上述した問題点を解決するために、本発明の本実施形態における伝送方法は、受信端がアンライセンスキャリアのチャネルを継続的に監視することを回避することができ、受信端のエネルギー消費を低減することができる。
【０１３１】
したがって、本発明の本実施形態における伝送方法によれば、受信端が第１のデータフレームを検出する際に必要とする情報は、ライセンスキャリアを用いて送信されるので、受信端は、該情報に従って、アンライセンスキャリア上で第１のデータフレームを効果的に検出することができる。よって、アンライセンスキャリア上での信号伝送の効率を効果的に向上させることができ、受信端のエネルギー消費を低減することができる。
【０１３２】
任意に、一実施形態では、図１に示される伝送方法１００において、第１のデータフレームが送信されるとき、又は第１のデータフレームが送信された後、ライセンスキャリアを用いて、第２の通信機器にＭ個の第２のデータフレームを送信するステップは、
第１のデータフレームの第１の時間オフセットが第３のデータフレームの第３の時間オフセットと比較して変化した、又は第１のデータフレームのフレーム構造が第３のデータフレームのフレーム構造と比較して変化した、又は第１のデータフレームのサブフレーム構造が第３のデータフレームのサブフレーム構造と比較して変化したと決定された場合、ライセンスキャリアを用いて、第２の通信機器にＭ個の第２のデータフレームを送信するステップ、
を含む。
【０１３３】
第３のデータフレームは、アンライセンスキャリアを用いて送信されるデータフレームであり、第３のデータフレームは、第１のデータフレームの前のデータフレームである。第３の時間オフセットは、第３のデータフレームの開始時点と第４のデータフレームの開始時点との時間差を表し、又は第３の時間オフセットは、第３のデータフレームのサブフレームの開始時点と第４のデータフレームのサブフレームの開始時点との時間差を表す。第４のデータフレームは、ライセンスキャリアを用いて送信されるデータフレームであり、第４のデータフレームは、Ｍ個の第２のデータフレームの前のデータフレームである。
【０１３４】
具体的には、例えば、第１の通信機器は、競合によりアンライセンスキャリア上でリソースを取得し、次いで、アンライセンスキャリアを用いて、第３のデータフレームを第２の通信機器に送信する。第３のデータフレームの後、第１の通信機器は、アンライセンスキャリア上のリソースがまだ占用されていることを決定し、アンライセンスキャリアを用いて第３のデータフレームの直後に第１のデータフレームを送信してよい。第１のデータフレームと第３のデータフレームが同じ特性を有する場合、すなわち、フレーム構造とサブフレーム構造の両方が同じであり、第１のデータフレームが第３のデータフレームの直後に送信される場合、第２の通信機器は、第３のデータフレームの受信メカニズムに従って第１のデータフレームを受信し続けることができるので、第１の通信機器は、ライセンスキャリアを使用せずに、第２の通信機器が第１のデータフレームを検出する際に必要とする情報を第２の通信機器に送信することができる。しかしながら、第１のデータフレームのフレーム構造又はサブフレーム構造が第３のデータフレームのフレーム構造又はサブフレーム構造に対して変化した場合、又は第１のデータフレームが第３のデータフレームの直後に送信されない場合、このケースでは、第２の通信機器が第１のデータフレームを検出する際に必要とする情報は、ライセンスキャリアを用いて第２の通信機器に送信される必要がある。
【０１３５】
任意に、一実施形態では、図１に示される方法１００において、第３の時間オフセットは、絶対時間差、収集点の数及びシンボルの数のうち少なくとも１つのタイプの情報を含む。
【０１３６】
したがって、本発明の本実施形態における伝送方法によれば、受信端（第２の通信機器）が第１のデータフレームを検出する際に必要とする情報は、ライセンスキャリアを用いて送信されるので、受信端は、該情報に従って、アンライセンスキャリア上で第１のデータフレームを効果的に検出することができる。アンライセンスキャリア上での信号伝送の効率を効果的に向上させることができ、受信端のエネルギー消費を低減することができる。
【０１３７】
理解されるべきこととして、Ｍ個の第２のデータフレームは、ライセンスキャリアを用いて第２の通信機器に送信され、Ｍ個の第２のデータフレームのうち少なくとも１つのデータフレームが、第１の情報を搬送する。任意に、第１の情報は、物理ダウンリンク制御チャネル（Physical  Downlink  Control  Channel、略称ＰＤＣＣＨ）、又は拡張物理ダウンリンク制御チャネル（Enhanced  Physical  Downlink  Control  Channel、略称ＥＰＤＣＣＨ）、又は無線リソース制御（Radio  Resource  Control、略称ＲＲＣ）プロトコルを用いて、第２の通信機器に送信されてよい。同様に理解されるべきこととして、本発明の本実施形態では、第１の情報は、制御シグナリングを用いて送信されてもよく、別の形態のメッセージ又はシグナリングを用いて送信されてもよく、本発明の本実施形態では限定されない。
【０１３８】
理解されるべきこととして、アンライセンスキャリアを使用することを許可された機器は、２つのタイプに分類されてよい。第１のタイプはフレームベースの機器（Frame  Based  Equipment、略称ＦＢＥ）であり、第２のタイプは負荷ベースの機器（load  based  equipment、略称ＬＢＥ）である。任意に、本発明の本実施形態における技術的解決策は、ＦＢＥ及び／又はＬＢＥによって実行されてよい。
【０１３９】
上記では、図１〜図６を参照しながら、送信端（第１の通信機器）の観点で、本発明の本実施形態に係る伝送方法１００を詳述した。以下、図７を参照しながら、受信端（第２の通信機器）の観点から、本発明の実施形態に係る伝送方法２００を説明する。
【０１４０】
図７に示されるように、例えば、本発明の本実施形態に係る伝送方法２００は、第２の通信機器によって実行されてよい。第２の通信機器は、ユーザ装置であっても基地局であってもよく、或いは１つのチップ又は複数のチップであってもよい。図７に示されるように、伝送方法２００は以下を含む。
【０１４１】
Ｓ２１０．第１の通信機器によりライセンスキャリアを用いて送信されたＭ個の第２のデータフレームを受信する。Ｍ個の第２のデータフレームのうち少なくとも１つのデータフレームは第１の情報を搬送し、第１の情報は、第１の通信機器によりアンライセンスキャリアを用いて送信された第１のデータフレームを検出する際に必要となる情報を含み、Ｍは１よりも小さくない整数である。
【０１４２】
Ｓ２２０．第１の情報が取得されるとき又は取得された後、第１の情報に従って、第１のデータフレームの検出を開始する。
【０１４３】
したがって、本発明の本実施形態における伝送方法によれば、送信端（第１の通信機器）によりアンライセンスキャリアを用いて送信された第１のデータフレームを検出するために必要となる情報は、ライセンスキャリアを用いて送信されるので、受信端（第２の通信機器）は、該情報に従って、効果的に第１のデータフレームを検出することができる。アンライセンスキャリア上での信号伝送の効率を効果的に向上させることができ、受信端のエネルギー消費を低減することができる。
【０１４４】
任意に、一実施形態では、図７に示される伝送方法２００において、第１の情報は、第１のデータフレームのフレーム構造を示すのに用いられる情報、又は第１のデータフレームのサブフレーム構造を示すのに用いられる情報を含む。
【０１４５】
具体的には、第１の通信機器が、第１のデータフレームを送信する前に、Ｍ個の第２のデータフレームを送信する場合（図２（ａ）に示されるように）、第１の情報は、第１のデータフレームのフレーム構造を示すのに用いられる情報、又は第１のデータフレームのサブフレーム構造を示すのに用いられる情報を含む。具体的な説明については、前述の対応する説明を参照されたい。ここでは簡潔にするために詳細の説明を省略する。
【０１４６】
任意に、一実施形態では、図７に示される伝送方法２００において、第１の情報は、第１のデータフレームの第１の時間オフセットと、第１のデータフレームのフレーム構造を示すのに用いられる情報と、第１のデータフレームのサブフレーム構造を示すのに用いられる情報と、アンライセンスキャリア上での第１のデータフレームの検出をトリガするのに用いられる第２の情報とのうち少なくとも１つを含む。
【０１４７】
具体的には、第１の通信機器が、第１のデータフレームを送信するとき、又は第１のデータフレームを送信した後に、Ｍ個の第２のデータフレームを送信する場合（図２（ａ）及び図２（ｂ）に示されるように）、第１の情報は、第１のデータフレームの第１の時間オフセットと、第１のデータフレームのフレーム構造を示すのに用いられる情報と、第１のデータフレームのサブフレーム構造を示すのに用いられる情報と、アンライセンスキャリア上での第１のデータフレームの検出をトリガするのに用いられる第２の情報とのうち少なくとも１つを含む。具体的な説明については、前述の対応する説明を参照されたい。ここでは簡潔にするために詳細の説明を省略する。
【０１４８】
任意に、一実施形態では、図７に示される伝送方法２００において、第１の情報は、第１のデータフレームの第１の時間オフセットを含む。第１の時間オフセットは、第１のデータフレームの開始時点とＭ個の第２のデータフレームのうち１つのデータフレームの開始時点との時間差を表し、又は、
第１の時間オフセットは、第１のデータフレームのサブフレームの開始時点とＭ個の第２のデータフレームのうち１つのデータフレームのサブフレームの開始時点との時間差を表す。
【０１４９】
詳細については、図３（ａ）及び図（ｂ）を参照されたい。具体的な説明については、前述の対応する説明を参照されたい。ここでは簡潔にするために詳細の説明を省略する。
【０１５０】
任意に、一実施形態では、図７に示される伝送方法２００において、第１の時間オフセットは、絶対時間差、収集点の数及びシンボルの数のうち少なくとも１つのタイプの情報を含む。
【０１５１】
具体的には、本発明の本実施形態では、シンボルは時間単位であってよい。例えば、１つのシンボルが（１／１２）ｍｓを表してよい。１つのデータフレームが５個のサブフレームを含み、且つ各サブフレームが１２個のシンボルを含むとき、データフレームの各サブフレームは１ｍｓであり、データフレームのフレーム周期は５ｍｓである。
【０１５２】
任意に、一実施形態では、図７に示される伝送方法２００において、第１の情報は第２の情報を含む。
【０１５３】
第１の情報に従って第１のデータフレームの検出を開始するステップは、
第２の情報が取得されるとき又は取得された後、第２の情報に従って同期信号の検出を開始し、第１のデータフレームの開始時点を決定するステップと、
開始時点に従って第１のデータフレームを検出するステップと、
を含む。
【０１５４】
具体的には、例えば、第１のデータフレームがアンライセンスキャリアを用いて送信された後、ライセンスキャリアを用いて第２の情報が送信される。第２の通信機器は、第２の情報に従って、バッファ及び／又は現在受信しているデータフレーム内の同期信号を検出し、検出された同期信号を用いて第１のデータフレームの開始時点を取得し、開始時点に従って、バッファ内の第１のデータフレーム及び／又は現在受信されたデータフレームを検出する。任意に、第２の通信機器は、システムによって予め定義された第１のデータフレームのフレーム構造又はサブフレーム構造を参照して、開始時点に従って第１のデータフレームを検出してよい。すなわち、本発明の本実施形態では、第１の通信機器は、第１のデータフレームの開始時点に関する関連情報を第２の通信機器に通知せず、同期信号を検出することによって第１のデータフレームの開始時点を取得するように第２の通信機器に指示するのみである。
【０１５５】
任意に、一実施形態では、図７に示される伝送方法２００において、第１のデータフレームのフレーム構造は、以下のとおりである。すなわち、
第１のデータフレームのフレーム周期はチャネル占用周期及びチャネルアイドル周期を含み、チャネルアイドル周期はチャネル占用周期の少なくとも５％である。
【０１５６】
詳細については、図４を参照されたい。具体的な説明については、前述の対応する説明を参照されたい。ここでは簡潔にするために詳細の説明を省略する。
【０１５７】
任意に、一実施形態では、図７に示される伝送方法２００において、第１のデータフレームのフレーム構造は、以下のとおりである。すなわち、
第１のデータフレームのフレーム周期は１４０個のシンボルを含み、チャネル占用周期が１３３個のシンボルを含み、チャネルアイドル周期が７個のシンボルを含み、又は、
第１のデータフレームのフレーム周期は７０個のシンボルを含み、チャネル占用周期が６６個のシンボルを含み、チャネルアイドル周期が４個のシンボルを含み、又は、
第１のデータフレームのフレーム周期は２８個のシンボルを含み、チャネル占用周期が２６個のシンボルを含み、チャネルアイドル周期が２個のシンボルを含み、又は、
第１のデータフレームのフレーム周期は１２０個のシンボルを含み、チャネル占用周期が１１４個のシンボルを含み、チャネルアイドル周期が６個のシンボルを含み、又は、
第１のデータフレームのフレーム周期は６０個のシンボルを含み、チャネル占用周期が５６個のシンボルを含み、チャネルアイドル周期が４個のシンボルを含み、又は、
第１のデータフレームのフレーム周期は２４個のシンボルを含み、チャネル占用周期が２２個のシンボルを含み、チャネルアイドル周期が２個のシンボルを含む。
【０１５８】
詳細については、図４（ａ）及び図５（ａ）〜図５（ｃ）を参照されたい。具体的な説明については、前述の対応する説明を参照されたい。ここでは簡潔にするために詳細の説明を省略する。
【０１５９】
任意に、一実施形態では、図７に示される伝送方法２００において、第１のデータフレームのサブフレーム構造は、以下のとおりである。すなわち、
第１のデータフレームのサブフレームの周期は１４個のシンボルを含み、７個のシンボルはデータの伝送に用いられ、７個のシンボルはアイドル状態であり、又は、
第１のデータフレームのサブフレームの周期は１４個のシンボルを含み、１０個のシンボルはデータの伝送に用いられ、４個のシンボルはアイドル状態であり、又は、
第１のデータフレームのサブフレームの周期は１４個のシンボルを含み、１２個のシンボルはデータの伝送に用いられ、２個のシンボルはアイドル状態であり、又は、
第１のデータフレームのサブフレームの周期は１４個のシンボルを含み、１４個のシンボルはデータの伝送に用いられ、又は、
第１のデータフレームのサブフレームの周期は１４個のシンボルを含み、１個のシンボルは同期信号の伝送に用いられ、又は、
第１のデータフレームのサブフレームの周期は１４個のシンボルを含み、２個のシンボルは同期信号の伝送に用いられ、又は、
第１のデータフレームのサブフレームの周期は１２個のシンボルを含み、６個のシンボルはデータの伝送に用いられ、６個のシンボルはアイドル状態であり、又は、
第１のデータフレームのサブフレームの周期は１２個のシンボルを含み、８個のシンボルはデータの伝送に用いられ、４個のシンボルはアイドル状態であり、又は、
第１のデータフレームのサブフレームの周期は１２個のシンボルを含み、１０個のシンボルはデータの伝送に用いられ、２個のシンボルはアイドル状態であり、又は、
第１のデータフレームのサブフレームの周期は１２個のシンボルを含み、１２個のシンボルはデータの伝送に用いられ、又は、
第１のデータフレームのサブフレームの周期は１２個のシンボルを含み、１個のシンボルは同期信号の伝送に用いられ、又は、
第１のデータフレームのサブフレームの周期は１２個のシンボルを含み、２個のシンボルは同期信号の伝送に用いられる。
【０１６０】
詳細については、図５（ａ）〜図５（ｃ）及び図６（ａ）〜図６（ｂ）を参照されたい。具体的な説明については、前述の対応する説明を参照されたい。ここでは簡潔にするために詳細の説明を省略する。
【０１６１】
したがって、本発明の本実施形態における伝送方法によれば、送信端（第１の通信機器）がアンライセンスキャリアを用いて送信した第１のデータフレームを検出するのに必要な情報は、ライセンスキャリアを用いて送信されるので、受信端（第２の通信機器）は、該情報に従って、第１のデータフレームを効果的に検出することができる。よって、アンライセンスキャリア上での信号伝送の効率を効果的に向上させることができ、受信端のエネルギー消費を低減することができる。
【０１６２】
本発明の本実施形態では、Ｓ２２０において、第１の情報が取得されるとき又は取得された後、第１の情報に従って第１のデータフレームの検出を開始する。第１の情報は、第１のデータフレームの第１の時間オフセットと、第１のデータフレームのフレーム構造を示すのに用いられる情報と、第１のデータフレームのサブフレーム構造を示すのに用いられる情報と、アンライセンスキャリア上での第１のデータフレームの検出をトリガするのに用いられる第２の情報とのうち、少なくとも１つのタイプの情報を含む。具体的には、第１の情報は、上記４種類の情報のいずれかを含んでよく、或いは上記４種類の情報の複数種類を含んでもよい。したがって、第２の通信機器は、前述の情報のうち第１の情報に含まれる異なる組み合わせに従って、アンライセンスキャリア上の第１のデータフレームを検出してよい。詳細な説明については、前述の対応する説明を参照されたい。ここでは簡潔にするために詳細の説明を省略する。
【０１６３】
理解されるべきこととして、ライセンスキャリアを用いて第１の通信機器によって送信されたＭ個の第２のデータフレームが受信され、Ｍ個の第２のデータフレームのうち少なくとも１つのデータフレームが、第１の情報を搬送する。任意に、第１の情報は、物理ダウンリンク制御チャネル（Physical  Downlink  Control  Channel、略称ＰＤＣＣＨ）、又は拡張物理ダウンリンク制御チャネル（Enhanced  Downlink  Control  Channel、略称ＥＰＤＣＣＨ）、又は無線リソース制御（Radio  Resource  Control、略称ＲＲＣ）プロトコルを用いて、第２の通信機器に送信されてよく、本発明の本実施形態では限定されない。
【０１６４】
理解されるべきこととして、アンライセンスキャリアを使用することを許可された機器は、２つのタイプに分類されてよい。第１のタイプはフレームベースの機器（Frame  Based  Equipment、略称ＦＢＥ）であり、第２のタイプは負荷ベースの機器（load  based  equipment、略称ＬＢＥ）である。任意に、本発明の本実施形態における技術的解決策は、ＦＢＥ及び／又はＬＢＥによって実行されてよい。
【０１６５】
上記では、本発明の本実施形態に係る伝送方法を、図１〜図７を参照しながら詳述した。以下、本発明の実施形態に係る通信機器を、図８〜図１１を参照しながら詳述する。
【０１６６】
図８は、発明の実施形態に係る通信機器３００の概略ブロック図を示す。図８に示されるように、通信機器３００は以下を備える。
【０１６７】
第１の送信モジュール３１０は、アンライセンスキャリアを用いて、第２の通信機器に第１のデータフレームを送信するように構成される。
【０１６８】
第２の送信モジュール３２０は、ライセンスキャリアを用いて、第２の通信機器にＭ個の第２のデータフレームを送信するように構成される。Ｍ個の第２のデータフレームのうち少なくとも１つのデータフレームは第１の情報を搬送し、第１の情報は、第２の通信機器が第１のデータフレームを検出する際に必要とする情報を含み、Ｍは１よりも小さくない整数である。
【０１６９】
したがって、本発明の本実施形態における通信機器によれば、受信端（第２の通信機器）が第１のデータフレームを検出する際に必要とする情報は、ライセンスキャリアを用いて送信されるので、受信端は、該情報に従って、アンライセンスキャリア上で第１のデータフレームを効果的に検出することができる。よって、アンライセンスキャリア上での信号伝送の効率を効果的に向上させることができ、受信端のエネルギー消費を低減することができる。
【０１７０】
任意に、一実施形態では、図８に示される通信機器３００において、通信機器３００は更に、
第１の送信モジュール３１０が第１のデータフレームを送信したか否かを決定するように構成される第１の決定モジュール、
を備える。
【０１７１】
第１の送信モジュール３１０が第１のデータフレームを送信していないと第１の決定モジュールが決定した場合、第２の送信モジュール３２０によって送信された第１の情報は、第１のデータフレームのフレーム構造を示すのに用いられる情報、又は第１のデータフレームのサブフレーム構造を示すのに用いられる情報を含む。
【０１７２】
任意に、一実施形態では、図８に示される通信機器３００において、第２の送信モジュール３２０は、具体的には、第１の送信モジュール３１０が第１のデータフレームを送信していないと第１の決定モジュールが決定した場合、ライセンスキャリアを用いて、第２の通信機器にＭ個の第２のデータフレームを送信するように構成される。第１の情報は、第１のデータフレームのフレーム構造を示すのに用いられる情報、又は第１のデータフレームのサブフレーム構造を示すのに用いられる情報を含む。
【０１７３】
任意に、一実施形態では、図８に示される通信機器３００において、通信機器３００は更に、
第１の送信モジュールが第１のデータフレームを送信したか否かを決定するように構成される第１の決定モジュール、
を備える。
【０１７４】
第１の送信モジュール３１０が第１のデータフレームを送信している、又は第１の送信モジュール３１０が第１のデータフレームを送信したと第１の決定モジュールが決定した場合、第２の送信モジュール３２０によって送信された第１の情報は、第１のデータフレームの第１の時間オフセットと、第１のデータフレームのフレーム構造を示すのに用いられる情報と、第１のデータフレームのサブフレーム構造を示すのに用いられる情報と、第２の通信機器をアンライセンスキャリアを用いて第１のデータフレームを検出するようにトリガするのに用いられる第２の情報とのうち少なくとも１つを含む。
【０１７５】
任意に、一実施形態では、図８に示される通信機器３００において、第１の情報は、第１のデータフレームの第１の時間オフセットを含む。第１の時間オフセットは、第１のデータフレームの開始時点とＭ個の第２のデータフレームのうち１つのデータフレームの開始時点との時間差を表し、又は、
第１の時間オフセットは、第１のデータフレームのサブフレームの開始時点とＭ個の第２のデータフレームのうち１つのデータフレームのサブフレームの開始時点との時間差を表す。
【０１７６】
任意に、一実施形態では、図８に示される通信機器３００において、第１の時間オフセットは、絶対時間差、収集点の数及びシンボルの数のうち少なくとも１つのタイプの情報を含む。
【０１７７】
任意に、一実施形態では、図８に示される通信機器３００において、通信機器３００は更に以下を備える。
【０１７８】
第２の決定モジュールは、第１のデータフレームの第１の時間オフセットが第３のデータフレームの第３の時間オフセットと比較して変化したか否か、又は第１のデータフレームのフレーム構造が第３のデータフレームのフレーム構造と比較して変化したか否か、又は第１のデータフレームのサブフレーム構造が第３のデータフレームのサブフレーム構造と比較して変化したか否かを決定するように構成される。
【０１７９】
トリガモジュールは、第１のデータフレームの第１の時間オフセットが第３の時間オフセットと比較して変化した、又は第１のデータフレームのフレーム構造が第３のデータフレームのフレーム構造と比較して変化した、又は第１のデータフレームのサブフレーム構造が第３のデータフレームのサブフレーム構造と比較して変化したと第２の決定モジュールが決定した場合、第２の送信モジュール３２０をＭ個の第２のデータフレームを送信するようにトリガするように構成される。
【０１８０】
第３のデータフレームは、アンライセンスキャリアを用いて送信されるデータフレームであり、第３のデータフレームは、第１のデータフレームの前のデータフレームである。第３の時間オフセットは、第３のデータフレームの開始時点と第４のデータフレームの開始時点との時間差を表し、又は、第３の時間オフセットは、第３のデータフレームのサブフレームの開始時点と第４のデータフレームのサブフレームの開始時点との時間差を表す。第４のデータフレームは、ライセンスキャリアを用いて送信されるデータフレームであり、第４のデータフレームは、Ｍ個の第２のデータフレームの前のデータフレームである。
【０１８１】
任意に、一実施形態では、図８に示される通信機器３００において、第３の時間オフセットは、絶対時間差、収集点の数及びシンボルの数のうち少なくとも１つのタイプの情報を含む。
【０１８２】
任意に、一実施形態では、図８に示される通信機器３００において、第１の送信モジュール３１０によって送信された第１のデータフレームのサブフレーム構造は、以下のとおりである。すなわち、
第１のデータフレームのサブフレームの周期は１４個のシンボルを含み、７個のシンボルはデータの伝送に用いられ、７個のシンボルはアイドル状態であり、又は、
第１のデータフレームのサブフレームの周期は１４個のシンボルを含み、１０個のシンボルはデータの伝送に用いられ、４個のシンボルはアイドル状態であり、又は、
第１のデータフレームのサブフレームの周期は１４個のシンボルを含み、１２個のシンボルはデータの伝送に用いられ、２個のシンボルはアイドル状態であり、又は、
第１のデータフレームのサブフレームの周期は１４個のシンボルを含み、１４個のシンボルはデータの伝送に用いられ、又は、
第１のデータフレームのサブフレームの周期は１４個のシンボルを含み、１個のシンボルは同期信号の伝送に用いられ、又は、
第１のデータフレームのサブフレームの周期は１４個のシンボルを含み、２個のシンボルは同期信号の伝送に用いられ、又は、
第１のデータフレームのサブフレームの周期は１２個のシンボルを含み、６個のシンボルはデータの伝送に用いられ、６個のシンボルはアイドル状態であり、又は、
第１のデータフレームのサブフレームの周期は１２個のシンボルを含み、８個のシンボルはデータの伝送に用いられ、４個のシンボルはアイドル状態であり、又は、
第１のデータフレームのサブフレームの周期は１２個のシンボルを含み、１０個のシンボルはデータの伝送に用いられ、２個のシンボルはアイドル状態であり、又は、
第１のデータフレームのサブフレームの周期は１２個のシンボルを含み、１２個のシンボルはデータの伝送に用いられ、又は、
第１のデータフレームのサブフレームの周期は１２個のシンボルを含み、１個のシンボルは同期信号の伝送に用いられ、又は、
第１のデータフレームのサブフレームの周期は１２個のシンボルを含み、２個のシンボルは同期信号の伝送に用いられる。
【０１８３】
任意に、一実施形態では、図８に示される通信機器３００において、第１の送信モジュール３１０によって送信された第１のデータフレームのフレーム構造は、以下のとおりである。すなわち、第１のデータフレームのフレーム周期はチャネル占用周期及びチャネルアイドル周期を含み、チャネルアイドル周期はチャネル占用周期の少なくとも５％である。
【０１８４】
任意に、一実施形態では、図８に示される通信機器３００において、第１の送信モジュール３１０によって送信された第１のデータフレームのフレーム構造は、具体的には以下のとおりである。すなわち、
第１のデータフレームのフレーム周期は１４０個のシンボルを含み、チャネル占用周期が１３３個のシンボルを含み、チャネルアイドル周期が７個のシンボルを含み、又は、
第１のデータフレームのフレーム周期は７０個のシンボルを含み、チャネル占用周期が６６個のシンボルを含み、チャネルアイドル周期が４個のシンボルを含み、又は、
第１のデータフレームのフレーム周期は２８個のシンボルを含み、チャネル占用周期が２６個のシンボルを含み、チャネルアイドル周期が２個のシンボルを含み、又は、
第１のデータフレームのフレーム周期は１２０個のシンボルを含み、チャネル占用周期が１１４個のシンボルを含み、チャネルアイドル周期が６個のシンボルを含み、又は、
第１のデータフレームのフレーム周期は６０個のシンボルを含み、チャネル占用周期が５６個のシンボルを含み、チャネルアイドル周期が４個のシンボルを含み、又は、
第１のデータフレームのフレーム周期は２４個のシンボルを含み、チャネル占用周期が２２個のシンボルを含み、チャネルアイドル周期が２個のシンボルを含み。
【０１８５】
理解されるべきこととして、本発明の本実施形態に係る通信機器３００は、本発明の実施形態における伝送方法の第１の通信機器に対応してよい。通信機器３００のモジュールの前述及び他の動作及び／又は機能は、図１〜図７の方法の対応する手順を実施するためにそれぞれ用いられる。説明を簡潔にするためにここでは説明を省略する。
【０１８６】
したがって、本発明の本実施形態における通信機器によれば、受信端（第２の通信機器）が第１のデータフレームを検出する際に必要とする情報は、ライセンスキャリアを用いて送信されるので、受信端は、該情報に従って、アンライセンスキャリア上で第１のデータフレームを効果的に検出することができる。よって、アンライセンスキャリア上での信号伝送の効率を効果的に向上させることができ、受信端のエネルギー消費を低減することができる。
【０１８７】
上記では、本発明の本実施形態に係る送信端として用いられる通信機器３００を、図８を参照しながら詳述した。以下、本発明の実施形態に係る受信端として用いられる通信機器４００を、図９を参照しながら詳述する。
【０１８８】
図９は、本発明の本実施形態に係る通信機器４００の概略ブロック図を示す。図９に示されるように、通信機器４００は以下を備える。
【０１８９】
受信モジュール４１０は、第１の通信機器によりライセンスキャリアを用いて送信されたＭ個の第２のデータフレームを受信するように構成される。Ｍ個の第２のデータフレームのうち少なくとも１つのデータフレームは第１の情報を搬送し、第１の情報は、第１の通信機器によりアンライセンスキャリアを用いて送信された第１のデータフレームを検出する際に必要となる情報を含み、Ｍは１よりも小さくない整数である。
【０１９０】
検出モジュール４２０は、第１の情報が取得されるとき又は取得された後、受信モジュール４１０によって受信された第１の情報に従って、第１のデータフレームの検出を開始するように構成される。
【０１９１】
したがって、本発明の本実施形態における通信機器によれば、受信端（通信機器４００）が第１のデータフレームを検出する際に必要とする情報は、ライセンスキャリアを用いて送信されるので、受信端は、該情報に従って、アンライセンスキャリア上で第１のデータフレームを効果的に検出することができる。よって、アンライセンスキャリア上での信号伝送の効率を効果的に向上させることができ、受信端のエネルギー消費を低減することができる。
【０１９２】
任意に、一実施形態では、図９に示される通信機器４００において、受信モジュール４１０によって受信された第１の情報は、第１のデータフレームのフレーム構造を示すのに用いられる情報、又は第１のデータフレームのサブフレーム構造を示すのに用いられる情報を含む。
【０１９３】
任意に、一実施形態では、図９に示される通信機器４００において、受信モジュール４１０によって受信された第１の情報は、第１のデータフレームの第１の時間オフセット、第１のデータフレームのフレーム構造を示すのに用いられる情報と、第１のデータフレームのサブフレーム構造を示すのに用いられる情報と、アンライセンスキャリア上での第１のデータフレームの検出をトリガするのに用いられる第２の情報とのうち少なくとも１つを含む。
【０１９４】
任意に、一実施形態では、図９に示される通信機器４００において、受信モジュール４１０によって受信された第１の情報は、第１のデータフレームの第１の時間オフセットを含む。第１の時間オフセットは、第１のデータフレームの開始時点とＭ個の第２のデータフレームのうち１つのデータフレームの開始時点との時間差を表し、又は、
第１の時間オフセットは、第１のデータフレームのサブフレームの開始時点とＭ個の第２のデータフレームのうち１つのデータフレームのサブフレームの開始時点との時間差を表す。
【０１９５】
任意に、一実施形態では、図９に示される通信機器４００において、第１の時間オフセットは、絶対時間差、収集点の数及びシンボルの数のうち少なくとも１つのタイプの情報を含む。
【０１９６】
任意に、一実施形態では、図９に示される通信機器４００において、受信モジュール４１０によって受信された第１の情報は、第２の情報を含む。
【０１９７】
検出モジュール４２０は、
第２の情報が取得されるとき又は取得された後、第２の情報に従って同期信号の検出を開始し、第１のデータフレームの開始時点を決定するように構成される第１の検出ユニットと、
第１の検出ユニットによって決定された開始時点に従って、アンライセンスキャリアを用いて第１のデータフレームを検出するように構成される第２の検出ユニットと、
を有する。
【０１９８】
任意に、一実施形態では、図９に示される通信機器４００において、検出モジュール４２０によって検出された第１のデータフレームのフレーム構造は、以下のとおりである。すなわち、第１のデータフレームのフレーム周期はチャネル占用周期及びチャネルアイドル周期を含み、チャネルアイドル周期はチャネル占用周期の少なくとも５％である。
【０１９９】
任意に、一実施形態では、図９に示される通信機器４００において、検出モジュール４２０によって検出された第１のデータフレームのフレーム構造は、以下のとおりである。すなわち、
第１のデータフレームのフレーム周期は１４０個のシンボルを含み、チャネル占用周期が１３３個のシンボルを含み、チャネルアイドル周期が７個のシンボルを含み、又は、
第１のデータフレームのフレーム周期は７０個のシンボルを含み、チャネル占用周期が６６個のシンボルを含み、チャネルアイドル周期が４個のシンボルを含み、又は、
第１のデータフレームのフレーム周期は２８個のシンボルを含み、チャネル占用周期が２６個のシンボルを含み、チャネルアイドル周期が２個のシンボルを含み、又は、
第１のデータフレームのフレーム周期は１２０個のシンボルを含み、チャネル占用周期が１１４個のシンボルを含み、チャネルアイドル周期が６個のシンボルを含み、又は、
第１のデータフレームのフレーム周期は６０個のシンボルを含み、チャネル占用周期が５６個のシンボルを含み、チャネルアイドル周期が４個のシンボルを含み、又は、
第１のデータフレームのフレーム周期は２４個のシンボルを含み、チャネル占用周期が２２個のシンボルを含み、チャネルアイドル周期が２個のシンボルを含む。
【０２００】
任意に、一実施形態では、図９に示される通信機器４００において、検出モジュール４２０によって検出された第１のデータフレームのサブフレーム構造は、以下のとおりである。すなわち、
第１のデータフレームのサブフレームの周期は１４個のシンボルを含み、７個のシンボルはデータの伝送に用いられ、７個のシンボルはアイドル状態であり、又は、
第１のデータフレームのサブフレームの周期は１４個のシンボルを含み、１０個のシンボルはデータの伝送に用いられ、４個のシンボルはアイドル状態であり、又は、
第１のデータフレームのサブフレームの周期は１４個のシンボルを含み、１２個のシンボルはデータの伝送に用いられ、２個のシンボルはアイドル状態であり、又は、
第１のデータフレームのサブフレームの周期は１４個のシンボルを含み、１４個のシンボルはデータの伝送に用いられ、又は、
第１のデータフレームのサブフレームの周期は１４個のシンボルを含み、１個のシンボルは同期信号の伝送に用いられ、又は、
第１のデータフレームのサブフレームの周期は１４個のシンボルを含み、２個のシンボルは同期信号の伝送に用いられ、又は、
第１のデータフレームのサブフレームの周期は１２個のシンボルを含み、６個のシンボルはデータの伝送に用いられ、６個のシンボルはアイドル状態であり、又は、
第１のデータフレームのサブフレームの周期は１２個のシンボルを含み、８個のシンボルはデータの伝送に用いられ、４個のシンボルはアイドル状態であり、又は、
第１のデータフレームのサブフレームの周期は１２個のシンボルを含み、１０個のシンボルはデータの伝送に用いられ、２個のシンボルはアイドル状態であり、又は、
第１のデータフレームのサブフレームの周期は１２個のシンボルを含み、１２個のシンボルはデータの伝送に用いられ、又は、
第１のデータフレームのサブフレームの周期は１２個のシンボルを含み、１個のシンボルは同期信号の伝送に用いられ、又は、
第１のデータフレームのサブフレームの周期は１２個のシンボルを含み、２個のシンボルは同期信号の伝送に用いられる。
【０２０１】
理解されるべきこととして、本発明の本実施形態に係る通信機器４００は、本発明の実施形態における伝送方法の第２の通信機器に対応してよい。通信機器４００のモジュールの前述及び他の動作及び／又は機能は、図１〜図７の方法の対応する手順を実施するためにそれぞれ用いられる。説明を簡潔にするためにここでは説明を省略する。
【０２０２】
したがって、本発明の本実施形態における通信機器によれば、受信端（通信機器４００）が第１のデータフレームを検出する際に必要とする情報は、ライセンスキャリアを用いて送信されるので、受信端は、該情報に従って、アンライセンスキャリア上で第１のデータフレームを効果的に検出することができる。よって、アンライセンスキャリア上での信号伝送の効率を効果的に向上させることができ、受信端のエネルギー消費を低減することができる。
【０２０３】
図１０に示されるように、本発明の実施形態は更に通信機器５００を提供する。通信機器５００は、プロセッサ５１０、メモリ５２０、バスシステム５３０及び送信器５４０を備える。プロセッサ５１０、メモリ５２０及び送信器５４０は、バスシステム５３０を用いて互いに接続される。メモリ５２０は、命令を記憶するように構成され、プロセッサ５１０は、メモリ５２０によって記憶された命令を実行して、送信器５４０を信号を送信するように制御するように構成される。送信器５４０は、アンライセンスキャリアを用いて、第２の通信機器に第１のデータフレームを送信するように構成される。送信器５４０は更に、ライセンスキャリアを用いて、第２の通信機器にＭ個の第２のデータフレームを送信するように構成される。Ｍ個の第２のデータフレームのうち少なくとも１つのデータフレームは第１の情報を搬送し、第１の情報は、第２の通信機器が第１のデータフレームを検出する際に必要とする情報を含み、Ｍは１よりも小さくない整数である。
【０２０４】
したがって、本発明の本実施形態における通信機器によれば、受信端（第２の通信機器）が第１のデータフレームを検出する際に必要とする情報は、ライセンスキャリアを用いて送信されるので、受信端は、該情報に従って、アンライセンスキャリア上で第１のデータフレームを効果的に検出することができる。よって、アンライセンスキャリア上での信号伝送の効率を効果的に向上させることができ、受信端のエネルギー消費を低減することができる。
【０２０５】
任意に、一実施形態では、プロセッサ５１０は、アンライセンスキャリアが占用されているか否かを決定するように構成される。送信器５４０は、具体的には、アンライセンスキャリアが占用されているとプロセッサ５１０が決定した場合、アンライセンスキャリアを用いて第２の通信機器に第１のデータフレームを送信するように構成される。
【０２０６】
任意に、一実施形態では、プロセッサ５１０は、送信器５４０が第１のデータフレームを送信したか否かを決定するように構成される。第１のデータフレームが送信されていないとプロセッサ５１０が決定した場合、送信器５４０によって送信されるＭ個の第２のデータフレームのうち少なくとも１つのデータフレームで搬送される第１の情報は、第１のデータフレームのフレーム構造を示すのに用いられる情報、又は第１のデータフレームのサブフレーム構造を示すのに用いられる情報を含む。
【０２０７】
任意に、一実施形態では、プロセッサ５１０は、送信器５４０が第１のデータフレームを送信したか否かを決定するように構成される。送信器５４０が第１のデータフレームを送信している、又は第１のデータフレームを送信したとプロセッサ５１０が決定した場合、送信器５４０によって送信されるＭ個の第２のデータフレームのうち少なくとも１つのデータフレームで搬送される第１の情報は、第１のデータフレームの第１の時間オフセットと、第１のデータフレームのフレーム構造を示すのに用いられる情報と、第１のデータフレームのサブフレーム構造を示すのに用いられる情報と、第２の通信機器がアンライセンスキャリア上で第１のデータフレームを検出するようにトリガするのに用いられる第２の情報とのうち少なくとも１つを含む。
【０２０８】
任意に、一実施形態では、送信器５４０によって送信されるＭ個の第２のデータフレームのうち少なくとも１つのデータフレームで搬送される第１の情報は、第１のデータフレームの第１の時間オフセットを含む。第１の時間オフセットは、第１のデータフレームの開始時点とＭ個の第２のデータフレームのうち１つのデータフレームの開始時点との時間差を表し、又は、
第１の時間オフセットは、第１のデータフレームのサブフレームの開始時点とＭ個の第２のデータフレームのうち１つのデータフレームのサブフレームの開始時点との時間差を表す。
【０２０９】
任意に、一実施形態では、第１の時間オフセットは、絶対時間差、収集点の数及びシンボルの数のうち少なくとも１つのタイプの情報を含む。
【０２１０】
任意に、一実施形態では、プロセッサ５１０は、第１のデータフレームの第１の時間オフセットが第３のデータフレームの第３の時間オフセットと比較して変化したか否か、又は第１のデータフレームのフレーム構造が第３のデータフレームのフレーム構造と比較して変化したか否か、又は第１のデータフレームのサブフレーム構造が第３のデータフレームのサブフレーム構造と比較して変化したか否かを決定するように構成される。
【０２１１】
プロセッサ５１０は更に、第１のデータフレームの第１の時間オフセットが第３のデータフレームの第３の時間オフセットと比較して変化した、又は第１のデータフレームのフレーム構造が第３のデータフレームのフレーム構造と比較して変化した、又は第１のデータフレームのサブフレーム構造が第３のデータフレームのサブフレーム構造と比較して変化したと決定された場合、送信器５４０をＭ個の第２のデータフレームを送信するようにトリガするように構成される。
【０２１２】
第３のデータフレームは、アンライセンスキャリアを用いて送信されるデータフレームであり、第３のデータフレームは、第１のデータフレームの前のデータフレームである。第３の時間オフセットは、第３のデータフレームの開始時点と第４のデータフレームの開始時点との時間差を表し、又は第３の時間オフセットは、第３のデータフレームのサブフレームの開始時点と第４のデータフレームのサブフレームの開始時点との時間差を表す。第４のデータフレームは、ライセンスキャリアを用いて送信されるデータフレームであり、第４のデータフレームは、Ｍ個の第２のデータフレームの前のデータフレームである。
【０２１３】
任意に、一実施形態では、第３の時間オフセットは、絶対時間差、収集点の数及びシンボルの数のうち少なくとも１つのタイプの情報を含む。
【０２１４】
任意に、一実施形態では、送信器５４０によって送信される第１のデータフレームのサブフレーム構造は、以下のとおりである。
【０２１５】
第１のデータフレームのサブフレームの周期は１４個のシンボルを含み、７個のシンボルはデータの伝送に用いられ、７個のシンボルはアイドル状態であり、又は、
第１のデータフレームのサブフレームの周期は１４個のシンボルを含み、１０個のシンボルはデータの伝送に用いられ、４個のシンボルはアイドル状態であり、又は、
第１のデータフレームのサブフレームの周期は１４個のシンボルを含み、１２個のシンボルはデータの伝送に用いられ、２個のシンボルはアイドル状態であり、又は、
第１のデータフレームのサブフレームの周期は１４個のシンボルを含み、１４個のシンボルはデータの伝送に用いられ、又は、
第１のデータフレームのサブフレームの周期は１４個のシンボルを含み、１個のシンボルは同期信号の伝送に用いられ、又は、
第１のデータフレームのサブフレームの周期は１４個のシンボルを含み、２個のシンボルは同期信号の伝送に用いられ、又は、
第１のデータフレームのサブフレームの周期は１２個のシンボルを含み、６個のシンボルはデータの伝送に用いられ、６個のシンボルはアイドル状態であり、又は、
第１のデータフレームのサブフレームの周期は１２個のシンボルを含み、８個のシンボルはデータの伝送に用いられ、４個のシンボルはアイドル状態であり、又は、
第１のデータフレームのサブフレームの周期は１２個のシンボルを含み、１０個のシンボルはデータの伝送に用いられ、２個のシンボルはアイドル状態であり、又は、
第１のデータフレームのサブフレームの周期は１２個のシンボルを含み、１２個のシンボルはデータの伝送に用いられ、又は、
第１のデータフレームのサブフレームの周期は１２個のシンボルを含み、１個のシンボルは同期信号の伝送に用いられ、又は、
第１のデータフレームのサブフレームの周期は１２個のシンボルを含み、２個のシンボルは同期信号の伝送に用いられる。
【０２１６】
任意に、一実施形態では、送信器５４０によって送信される第１のデータフレームのフレーム構造は、以下のとおりである。すなわち、第１のデータフレームのフレーム周期はチャネル占用周期及びチャネルアイドル周期を含み、チャネルアイドル周期はチャネル占用周期の少なくとも５％である。
【０２１７】
任意に、一実施形態では、送信器５４０によって送信される第１のデータフレームのフレーム構造は、具体的には以下のとおりである。すなわち、第１のデータフレームのフレーム周期は１４０個のシンボルを含み、チャネル占用周期が１３３個のシンボルを含み、チャネルアイドル周期が７個のシンボルを含み、又は、
第１のデータフレームのフレーム周期は７０個のシンボルを含み、チャネル占用周期が６６個のシンボルを含み、チャネルアイドル周期が４個のシンボルを含み、又は、
第１のデータフレームのフレーム周期は２８個のシンボルを含み、チャネル占用周期が２６個のシンボルを含み、チャネルアイドル周期が２個のシンボルを含み、又は、
第１のデータフレームのフレーム周期は１２０個のシンボルを含み、チャネル占用周期が１１４個のシンボルを含み、チャネルアイドル周期が６個のシンボルを含み、又は、
第１のデータフレームのフレーム周期は６０個のシンボルを含み、チャネル占用周期が５６個のシンボルを含み、チャネルアイドル周期が４個のシンボルを含み、又は、
第１のデータフレームのフレーム周期は２４個のシンボルを含み、チャネル占用周期が２２個のシンボルを含み、チャネルアイドル周期が２個のシンボルを含む。
【０２１８】
理解されるべきこととして、本発明の本実施形態では、プロセッサ５１０は中央演算処理装置（Central  Processing  Unit、略称“ＣＰＵ”）であってよい。プロセッサ５１０はまた、他の汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲートやトランジスタロジックデバイス、ディスクリートハードウェアアセンブリ等であってもよい。汎用プロセッサは、マイクロプロセッサであってもよいし、プロセッサは任意の従来のプロセッサであってもよい。
【０２１９】
メモリ５２０は、読出専用メモリ及びランダムアクセスメモリを含んでよく、プロセッサ５１０に命令及びデータを提供する。メモリ５２０の一部は、不揮発性ランダムアクセスメモリを更に含んでよい。例えば、メモリ５２０は更に、デバイスタイプに関する情報を記憶してよい。
【０２２０】
データバスに加えて、バスシステム５３０は、電源バス、制御バス、状態信号バス等を更に含んでよい。しかしながら、説明を分かり易くするために、図にはバスシステム５３０として種々のバスが示されている。
【０２２１】
実施プロセスでは、前述の方法のステップは、プロセッサ５１０内のハードウェアの集積論理回路又はソフトウェアの形態の命令を用いて完了されてよい。本発明の実施形態を参照して開示された方法のステップは、ハードウェアプロセッサを用いて直接実行及び完了されてよく、或いは、プロセッサ内のハードウェアモジュールとソフトウェアモジュールの組み合わせを用いて実行及び完了されてもよい。ソフトウェアモジュールは、ランダムアクセスメモリ、フラッシュメモリ、読出専用メモリ、プログラマブル読出専用メモリ、電気的消去可能プログラマブルメモリ、レジスタ等の、当該技術分野における成熟した記憶媒体に配置されてよい。記憶媒体はメモリ５２０内に位置する。プロセッサ５１０は、メモリ５２０から情報を読み出し、ハードウェアと組み合わせて前述の方法のステップを完了する。繰り返しを避けるために、ここでは詳細を説明しない。
【０２２２】
理解されるべきこととして、本発明の本実施形態に係る通信機器５００は、本発明の実施形態における伝送方法の第１の通信機器に対応してよく、本発明の実施形態における通信機器３００に対応してもよい。通信機器５００のモジュールの前述及び他の動作及び／又は機能は、図１〜図７の方法の対応する手順を実施するためにそれぞれ用いられる。説明を簡潔にするためにここでは説明を省略する。
【０２２３】
更に、コンピュータ可読命令を含むコンピュータ可読媒体（又は媒体）が更に提供される。コンピュータ可読命令は、媒体が実行されると、前述の実施形態の方法におけるＳ１１０〜Ｓ１２０の動作を実行するステップを実行する。
【０２２４】
更に、前述のコンピュータ可読媒体を備えるコンピュータプログラム製品が更に提供される。
【０２２５】
したがって、本発明の本実施形態における通信機器によれば、受信端（第２の通信機器）が第１のデータフレームを検出する際に必要とする情報は、ライセンスキャリアを用いて送信されるので、受信端は、該情報に従って、アンライセンスキャリア上で第１のデータフレームを効果的に検出することができる。よって、アンライセンスキャリア上での信号伝送の効率を効果的に向上させることができ、受信端のエネルギー消費を低減することができる。
【０２２６】
図１１に示されるように、本発明の実施形態は更に通信機器６００を提供する。通信機器６００は、プロセッサ６１０、メモリ６２０、バスシステム６３０及び受信器６４０を備える。プロセッサ６１０、メモリ６２０及び受信器６４０は、バスシステム６３０を用いて互いに接続される。メモリ６２０は、命令を記憶するように構成される。プロセッサ６１０は、メモリ６２０によって記憶された命令を実行して、受信器６４０を信号を受信するように制御するように構成される。受信器６４０は、第１の通信機器によりライセンスキャリアを用いて送信されたＭ個の第２のデータフレームを受信するように構成される。Ｍ個の第２のデータフレームのうち少なくとも１つのデータフレームは第１の情報を搬送し、第１の情報は、第１の通信機器によりアンライセンスキャリアを用いて送信された第１のデータフレームを検出する際に必要となる情報を含み、Ｍは１よりも小さくない整数である。プロセッサ６１０は、第１の情報が取得されるとき又は取得された後、第１の情報に従って、第１のデータフレームの検出を開始するように構成される。
【０２２７】
したがって、本発明の本実施形態における通信機器によれば、受信端（通信機器６００）が第１のデータフレームを検出する際に必要とする情報は、ライセンスキャリアを用いて送信されるので、受信端は、該情報に従って、アンライセンスキャリア上で第１のデータフレームを効果的に検出することができる。よって、アンライセンスキャリア上での信号伝送の効率を効果的に向上させることができ、受信端のエネルギー消費を低減することができる。
【０２２８】
任意に、一実施形態では、受信器６４０によって受信される第１の情報は、第１のデータフレームのフレーム構造を示すのに用いられる情報、又は第１のデータフレームのサブフレーム構造を示すのに用いられる情報を含む。
【０２２９】
任意に、一実施形態では、受信器６４０によって受信される第１の情報は、第１のデータフレームの第１の時間オフセットと、第１のデータフレームのフレーム構造を示すのに用いられる情報と、第１のデータフレームのサブフレーム構造を示すのに用いられる情報と、アンライセンスキャリア上での第１のデータフレームの検出をトリガするのに用いられる第２の情報とのうち少なくとも１つを含む。
【０２３０】
任意に、一実施形態では、受信器６４０によって受信される第１の情報は、第１のデータフレームの第１の時間オフセットを含む。第１の時間オフセットは、第１のデータフレームの開始時点とＭ個の第２のデータフレームのうち１つのデータフレームの開始時点との時間差を表し、又は、
第１の時間オフセットは、第１のデータフレームのサブフレームの開始時点とＭ個の第２のデータフレームのうち１つのデータフレームのサブフレームの開始時点との時間差を表す。
【０２３１】
任意に、一実施形態では、第１の時間オフセットは、絶対時間差、収集点の数及びシンボルの数のうち少なくとも１つのタイプの情報を含む。
【０２３２】
任意に、一実施形態では、受信器６４０によって受信される第１の情報は、第２の情報を含む。プロセッサ６１０は、具体的には、第２の情報が取得されるとき又は取得された後、第２の情報に従って同期信号の検出を開始し、第１のデータフレームの開始時点を決定するように構成され、第１のデータフレームの開始時点に従って、第１のデータフレームを検出するように構成される。
【０２３３】
任意に、一実施形態では、プロセッサ６１０によって検出される第１のデータフレームのフレーム構造は、以下のとおりである。すなわち、
第１のデータフレームのフレーム周期はチャネル占用周期及びチャネルアイドル周期を含み、チャネルアイドル周期はチャネル占用周期の少なくとも５％である。
【０２３４】
任意に、一実施形態では、プロセッサ６１０によって検出される第１のデータフレームのフレーム構造は、以下のとおりである。
【０２３５】
第１のデータフレームのフレーム周期は１４０個のシンボルを含み、チャネル占用周期が１３３個のシンボルを含み、チャネルアイドル周期が７個のシンボルを含み、又は、
第１のデータフレームのフレーム周期は７０個のシンボルを含み、チャネル占用周期が６６個のシンボルを含み、チャネルアイドル周期が４個のシンボルを含み、又は、
第１のデータフレームのフレーム周期は２６個のシンボルを含み、チャネル占用周期が２６個のシンボルを含み、チャネルアイドル周期が２個のシンボルを含み、又は、
第１のデータフレームのフレーム周期は１２０個のシンボルを含み、チャネル占用周期が１１４個のシンボルを含み、チャネルアイドル周期が６個のシンボルを含み、又は、
第１のデータフレームのフレーム周期は６０個のシンボルを含み、チャネル占用周期が５６個のシンボルを含み、チャネルアイドル周期が４個のシンボルを含み、又は、
第１のデータフレームのフレーム周期は２４個のシンボルを含み、チャネル占用周期が２２個のシンボルを含み、チャネルアイドル周期が２個のシンボルを含む。
【０２３６】
任意に、一実施形態では、プロセッサ６１０によって検出される第１のデータフレームのサブフレーム構造は、以下のとおりである。
【０２３７】
第１のデータフレームのサブフレームの周期は１４個のシンボルを含み、７個のシンボルはデータの伝送に用いられ、７個のシンボルはアイドル状態であり、又は、
第１のデータフレームのサブフレームの周期は１４個のシンボルを含み、１０個のシンボルはデータの伝送に用いられ、４個のシンボルはアイドル状態であり、又は、
第１のデータフレームのサブフレームの周期は１４個のシンボルを含み、１２個のシンボルはデータの伝送に用いられ、２個のシンボルはアイドル状態であり、又は、
第１のデータフレームのサブフレームの周期は１４個のシンボルを含み、１４個のシンボルはデータの伝送に用いられ、又は、
第１のデータフレームのサブフレームの周期は１４個のシンボルを含み、１個のシンボルは同期信号の伝送に用いられ、又は、
第１のデータフレームのサブフレームの周期は１４個のシンボルを含み、２個のシンボルは同期信号の伝送に用いられ、又は、
第１のデータフレームのサブフレームの周期は１２個のシンボルを含み、６個のシンボルはデータの伝送に用いられ、６個のシンボルはアイドル状態であり、又は、
第１のデータフレームのサブフレームの周期は１２個のシンボルを含み、６個のシンボルはデータの伝送に用いられ、４個のシンボルはアイドル状態であり、又は、
第１のデータフレームのサブフレームの周期は１２個のシンボルを含み、１０個のシンボルはデータの伝送に用いられ、２個のシンボルはアイドル状態であり、又は、
第１のデータフレームのサブフレームの周期は１２個のシンボルを含み、１２個のシンボルはデータの伝送に用いられ、又は、
第１のデータフレームのサブフレームの周期は１２個のシンボルを含み、１個のシンボルは同期信号の伝送に用いられ、又は、
第１のデータフレームのサブフレームの周期は１２個のシンボルを含み、２個のシンボルは同期信号の伝送に用いられる。
【０２３８】
理解されるべきこととして、本発明の本実施形態では、プロセッサ６１０は中央演算処理装置（Central  Processing  Unit、略称“ＣＰＵ”）であってよい。プロセッサ６１０はまた、他の汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲートやトランジスタロジックデバイス、ディスクリートハードウェアアセンブリ等であってもよい。汎用プロセッサは、マイクロプロセッサであってもよいし、プロセッサは任意の従来のプロセッサであってもよい。
【０２３９】
メモリ６２０は、読出専用メモリ及びランダムアクセスメモリを含んでよく、プロセッサ６１０に命令及びデータを提供する。メモリ６２０の一部は、不揮発性ランダムアクセスメモリを更に含んでよい。例えば、メモリ６２０は更に、デバイスタイプに関する情報を記憶してよい。
【０２４０】
データバスに加えて、バスシステム６３０は、電源バス、制御バス、状態信号バス等を更に含んでよい。しかしながら、説明を分かり易くするために、図にはバスシステム６３０として種々のバスが示されている。
【０２４１】
実施プロセスでは、前述の方法のステップは、プロセッサ６１０内のハードウェアの集積論理回路又はソフトウェアの形態の命令を用いて完了されてよい。本発明の実施形態を参照して開示された方法のステップは、ハードウェアプロセッサを用いて直接実行及び完了されてよく、或いは、プロセッサ内のハードウェアモジュールとソフトウェアモジュールの組み合わせを用いて実行及び完了されてもよい。ソフトウェアモジュールは、ランダムアクセスメモリ、フラッシュメモリ、読出専用メモリ、プログラマブル読出専用メモリ、電気的消去可能プログラマブルメモリ、レジスタ等の、当該技術分野における成熟した記憶媒体に配置されてよい。記憶媒体はメモリ６２０内に位置する。プロセッサ６１０は、メモリ６２０から情報を読み出し、ハードウェアと組み合わせて前述の方法のステップを完了する。繰り返しを避けるために、ここでは詳細を説明しない。
【０２４２】
理解されるべきこととして、本発明の本実施形態に係る通信機器６００は、本発明の実施形態における伝送方法の第２の通信機器に対応してよく、本発明の実施形態における通信機器４００に対応してもよい。通信機器６００のモジュールの前述及び他の動作及び／又は機能は、図１〜図７の方法の対応する手順を実施するためにそれぞれ用いられる。説明を簡潔にするためにここでは説明を省略する。
【０２４３】
更に、コンピュータ可読命令を含むコンピュータ可読媒体（又は媒体）が更に提供される。コンピュータ可読命令は、媒体が実行されると、前述の実施形態の方法におけるＳ２１０〜Ｓ２２０の動作を実行するステップを実行する。
【０２４４】
更に、前述のコンピュータ可読媒体を備えるコンピュータプログラム製品が更に提供される。
【０２４５】
したがって、本発明の本実施形態における通信機器によれば、受信端（通信機器６００）が第１のデータフレームを検出する際に必要とする情報は、ライセンスキャリアを用いて送信されるので、受信端は、該情報に従って、アンライセンスキャリア上で第１のデータフレームを効果的に検出することができる。よって、アンライセンスキャリア上での信号伝送の効率を効果的に向上させることができ、受信端のエネルギー消費を低減することができる。
【０２４６】
理解されるべきこととして、本明細書における「及び／又は」という語句は、関連するオブジェクトを記述するための関連関係を記述するものに過ぎず、３つの関係が存在し得ることを表す。例えば、Ａ及び／又はＢは、Ａのみが存在するケースと、ＡとＢの両方が存在するケースと、Ｂのみが存在するケースの３通りのケースを表す。更に、本明細書における文字「／」は、一般に、関連するオブジェクト間の「又は」の関係を表す。
【０２４７】
理解されるべきこととして、前述のプロセスのシーケンス番号は、本発明の様々な実施形態における実行順序を意味するものではない。プロセスの実行順序は、プロセスの機能や内部ロジックに応じて決定されるべきであり、本発明の実施形態の実施プロセスに対する任意の限定として解釈されるべきではない。
【０２４８】
当業者であれば認識することができるように、本明細書に開示された実施形態に記載された例と組み合わせて、電子ハードウェア又はコンピュータソフトウェアと電子ハードウェアの組み合わせにより、ユニット及びアルゴリズムステップが実現されてよい。機能がハードウェアによって実行されるかソフトウェアによって実行されるかは、技術的解決策の特定の適用及び設計制約条件に依存する。当業者であれば、特定の適用ごとに記載された機能を実現するために異なる方法を採用することができるであろうが、その実施は本発明の範囲を超えているとみなされるべきではない。
【０２４９】
当業者であれば明らかに理解できるように、簡潔かつ簡単な説明のために、上記のシステム、装置及びユニットの詳細な作業プロセスについては、前述の方法の実施形態における対応するプロセスを参照することができ、ここではその詳細の説明を省略する。
【０２５０】
本願で提供されるいくつかの実施形態では、理解されるべきこととして、開示されたシステム、装置及び方法は、他の方式で実現されてよい。例えば、記載された装置の実施形態は単なる例示に過ぎない。例えば、ユニット分割は論理的な機能分割に過ぎず、実際の実施では他の分割であってよい。例えば、複数のユニット又はコンポーネントを別のシステムに組み合わせ又は統合してよく、一部の機能が無視されてもよく、実行されなくてもよい。更に、表示又は議論された相互結合又は直接結合又は通信接続は、いくつかのインターフェースを介して実現されてよい。装置間又はユニット間の間接結合又は通信接続は、電子的、機械的その他の形式で実現されてよい。
【０２５１】
別個の要素として記載されたユニットは物理的に分離していてもいなくてもよく、ユニットとして表示された要素は物理ユニットであってもなくてもよく、１つの位置にあってもよいし、複数のネットワークユニットに分散されてもよい。ユニットの一部又は全部は、実施形態の解決策の目的を達成するために、実際のニーズに応じて選択されてよい。
【０２５２】
更に、本発明の実施形態における機能ユニットは、１つの処理ユニットに統合されてもよいし、各ユニットは物理的に単独で存在してもよいし、２つ以上のユニットが１つのユニットに統合されてもよい。
【０２５３】
機能がソフトウェア機能ユニットの形で実現され、独立した製品として販売又は使用される場合、該機能はコンピュータ可読記憶媒体に記憶されてよい。そのような理解に基づき、本発明の技術的解決策は本質的に、或いは従来技術に貢献する部分、或いは技術的解決策の一部は、ソフトウェア製品の形で実現されてよい。ソフトウェア製品は、記憶媒体に記憶され、コンピュータ装置（パーソナルコンピュータ、サーバ、或いはネットワーク装置であってよい）に、本発明の実施形態で説明した方法のステップの全部又は一部を実行するように指示するためのいくつかの命令を含む。前述の記憶媒体は、ＵＳＢフラッシュドライブ、リムーバブルハードディスク、読出専用メモリ（ＲＯＭ、Read-Only  Memory）、ランダムアクセスメモリ（ＲＡＭ、Random  Access  Memory）、磁気ディスク、光ディスク等の、プログラムコードを記憶可能な任意の媒体を含む。
【０２５４】
前述の説明は本発明の具体的な実施方式に過ぎず、本発明の保護範囲を限定するものではない。本発明に開示された技術的範囲内で当業者が容易に習得できる任意の変形或いは置換は、本発明の保護範囲に包含されるものとする。したがって、本発明の保護範囲は、特許請求の範囲の保護範囲に従うものとする。
【図１】
0006411641.tif 000002
【図２（ａ）】
0006411641.tif 000003
【図２（ｂ）】
0006411641.tif 000004
【図２（ｃ）】
0006411641.tif 000005
【図３（ａ）】
0006411641.tif 000006
【図３（ｂ）】
0006411641.tif 000007
【図４】
0006411641.tif 000008
【図５（ａ）】
0006411641.tif 000009
【図５（ｂ）】
0006411641.tif 000010
【図５（ｃ）】
0006411641.tif 000011
【図６（ａ）】
0006411641.tif 000012
【図６（ｂ）】
0006411641.tif 000013
【図７】
0006411641.tif 000014
【図８】
0006411641.tif 000015
【図９】
0006411641.tif 000016
【図１０】
0006411641.tif 000017
【図１１】
0006411641.tif 000018